(57)【要約】  ２またはそれ以上のセルのセットを備える少なくとも１つのバッテリであって、それぞれのセルのセットは、１またはそれ以上のセルを備える、バッテリと、それぞれのセルのセットに接続された多重化スイッチ装置と、多重化スイッチ装置を用いて少なくとも１つの基準に基づいてセルのセットを選択的に放電するように構成された少なくとも１つのコントローラと、を備えるバッテリ管理システム。２またはそれ以上のセルのセットを備える少なくとも１つのバッテリであって、それぞれのセルのセットは、１またはそれ以上のセルを備えるバッテリと、それぞれのセルのセットに接続された少なくとも１つのスイッチを備える統合スイッチ制御システムと、を備え、統合スイッチ制御システムは、少なくとも１つのスイッチを制御して少なくとも１つの基準に基づいて順次または選択的にセルのセットを放電するように構成される、バッテリパック。バッテリ管理方法またはバッテリパックの制御方法。
2021533714.tif 000002
【特許請求の範囲】
【請求項１】
２またはそれ以上のセルのセットを備える少なくとも１つのバッテリであって、それぞれの前記セルのセットは、１またはそれ以上のセルを備える、バッテリと、
それぞれの前記セルのセットに接続された多重化スイッチ装置と、
前記多重化スイッチ装置を用いて少なくとも１つの基準に基づいて前記セルのセットを選択的に放電するように構成された少なくとも１つのコントローラと、を備えるバッテリ管理システム。
【請求項２】
少なくとも１つの前記コントローラは、前記多重化スイッチ装置を用いて前記セルのセットを充電する第２の速度の少なくとも２倍である第１の速度で前記セルのセットを選択的に放電するように構成される、請求項１に記載のバッテリ管理システム。
【請求項３】
前記第１の速度は、前記第２の速度の４倍である、請求項２に記載のバッテリ管理システム。
【請求項４】
それぞれの前記セルのセットは、単一のセルを備える、請求項１乃至３のいずれか１項に記載のバッテリ管理システム。
【請求項５】
少なくとも１つの前記コントローラは、前記セルのセットの放電を一時的に重ねるように構成される、請求項１乃至４のいずれか１項に記載のバッテリ管理システム。
【請求項６】
少なくとも１つの前記コントローラは、異なるセットの間を切り替える間、前記セルのセットから電力を供給し続けるように構成される、請求項１乃至５のいずれか１項に記載のバッテリ管理システム。
【請求項７】
少なくとも１つの前記基準は、前記セルのセットを放電する順序を含む、請求項１乃至６のいずれか１項に記載のバッテリ管理システム。
【請求項８】
少なくとも１つの前記基準は、
負荷と前記負荷に流れるように接続されるセルのセットの間の接続期間と、
前記接続において供給された放電容量と、
１またはそれ以上のパラメータを有する関数の値と、の少なくとも１つを備える請求項１乃至７のいずれか１項に記載のバッテリ管理システム。
【請求項９】
１またはそれ以上の前記パラメータは、
前記負荷と前記セルのセットの間の複数の接続に渡って蓄積された容量と、
前記接続において供給された放電容量と、
前記セルのセットの電流と、
前記セルのセット及び／または少なくとも１つの他の前記セルのセットの電圧と、
前記セルのセットのカットオフ放電電圧と、
前記セルのセットの電力と、
前記セルのセットのエネルギと、
前記セルのセットの充電または放電サイクルの数と、
前記セルのセットのインピーダンスと、
前記接続の間の前記セルのセットの電圧フェージングの速度と、
前記セルのセットの温度と、
前記セルのセットの圧力と、の少なくとも１つを含む、請求項８に記載のバッテリ管理システム。
【請求項１０】
さらに少なくとも１つの前記基準及び／または１またはそれ以上の前記パラメータを測定するために少なくとも１つのセンサを備える、請求項８または９に記載のバッテリ管理システム。
【請求項１１】
少なくとも１つの前記コントローラは、少なくとも１つのプロセッサを備える、請求項１乃至９のいずれか１項に記載のバッテリ管理システム。
【請求項１２】
少なくとも１つの前記バッテリは、少なくとも１つのリチウム金属バッテリを備える、請求項１乃至１１のいずれか１項に記載のバッテリ管理システム。
【請求項１３】
少なくとも１つの前記コントローラは、前記多重化スイッチ装置を用いて負荷によって用いられるトポロジで前記負荷と前記セルのセットを接続するように構成される、請求項１乃至１２のいずれか１項に記載のバッテリ管理システム。
【請求項１４】
それぞれのセルは、同じ電気化学を利用する、請求項１乃至１３のいずれか１項に記載のバッテリ管理システム。
【請求項１５】
少なくとも１つの前記基準は、前記セルのセットの前の放電サイクルの数を含まない、請求項１乃至１４のいずれか１項に記載のバッテリ管理システム。
【請求項１６】
負荷と前記負荷と流れるように接続される前記セルのセットの間の前記接続期間は、少なくとも０．０１秒である、請求項１乃至１２、１４、１５のいずれか１項に記載のバッテリ管理システム。
【請求項１７】
少なくとも１つの前記コントローラは、前記多重化スイッチ装置を用いて、他のセルのセットが放電しない間、放電するために単一のセルのセットを分離するように構成される、請求項１乃至１６のいずれか１項に記載のバッテリ管理システム。
【請求項１８】
少なくとも１つの前記コントローラは、並列接続で前記セルのセットを充電するために前記多重化スイッチ装置を用いるように構成される、請求項１乃至１７のいずれか１項に記載のバッテリ管理システム。
【請求項１９】
少なくとも１つの前記コントローラは、前記多重化スイッチ装置を用いて、他のセルが放電されない間、放電するための単一のセルを分離するように構成される、請求項１乃至１６、１８のいずれか１項に記載のバッテリ管理システム。
【請求項２０】
所定のサイクルにおいて、それぞれのセルは、全てのセルが２度放電される前に１度放電される、請求項１乃至１９のいずれか１項に記載のバッテリ管理システム。
【請求項２１】
２またはそれ以上のセルのセットを備える少なくとも１つのバッテリであって、それぞれの前記セルのセットは、１またはそれ以上のセルを備えるバッテリと、
それぞれの前記セルのセットに接続された少なくとも１つのスイッチを備える統合スイッチ制御システムと、を備え、
前記統合スイッチ制御システムは、順次前記セルのセットを放電するために少なくとも１つの前記スイッチを制御するように構成される、バッテリパック。
【請求項２２】
２またはそれ以上のセルのセットを備える少なくとも１つのバッテリであって、それぞれの前記セルのセットは、１またはそれ以上のセルを備えるバッテリと、
それぞれの前記セルのセットに接続された少なくとも１つのスイッチを備える統合スイッチ制御システムと、を備え、
前記統合スイッチ制御システムは、少なくとも１つの前記スイッチを制御して、
負荷と前記負荷に流れるように接続されるセルのセットの間の接続期間と、
前記接続において供給された放電容量と、
１またはそれ以上のパラメータを有する関数の値と、の少なくとも１つに基づいて前記セルのセットを選択的に放電するように構成される、バッテリパック。
【請求項２３】
少なくとも１つのバッテリの２またはそれ以上のセルのセットに接続される多重化スイッチ装置を用いて、少なくとも１つの基準に基づいてそれぞれの前記セルのセットを選択的に放電するステップを備え、
それぞれの前記セルのセットは、１またはそれ以上のセルを備える、バッテリ管理方法。
【請求項２４】
さらに前記多重化スイッチ装置を用いて前記セルのセットを充電する第２の速度の少なくとも２倍である第１の速度で前記セルのセットを選択的に放電するステップを備える、請求項２３に記載のバッテリ管理方法。
【請求項２５】
前記第１の速度は、第２の速度の４倍である請求項２４に記載のバッテリ管理システム。
【請求項２６】
それぞれの前記セルのセットは、単一のセルを備える、請求項２３乃至２５のいずれか１項に記載のバッテリ管理方法。
【請求項２７】
さらにセルのセットの放電を一時的に重ねるステップを備える、請求項２３乃至２６のいずれか１項に記載のバッテリ管理方法。
【請求項２８】
さらに、異なるセットの間を切り替える間、前記セルのセットから電力を供給し続けるステップを備える、請求項２３乃至２７のいずれか１項に記載のバッテリ管理方法。
【請求項２９】
少なくとも１つの前記基準は、前記セルのセットを放電する順序を備える、請求項２３乃至２８のいずれか１項に記載のバッテリ管理方法。
【請求項３０】
少なくとも１つの前記基準は、
負荷及び前記負荷に流れるように接続されるセルのセットの間の接続期間と、
前記接続において供給された放電容量と、
１またはそれ以上のパラメータを有する関数の値と、の少なくとも１つを備える、請求項２３乃至２９のいずれか１項に記載のバッテリ管理方法。
【請求項３１】
１またはそれ以上の前記パラメータは、
前記負荷と前記セルのセットの間の複数の接続に渡って蓄積された容量と、
前記接続において供給された放電容量と、
前記セルのセットの電流と、
前記セルのセット及び／または少なくとも１つの他の前記セルのセットの電圧と、
前記セルのセットのカットオフ放電電圧と、
前記セルのセットの電力と、
前記セルのセットのエネルギと、
前記セルのセットの充電または放電サイクルの数と、
前記セルのセットのインピーダンスと、
前記接続の間の前記セルのセットの電圧フェージングの速度と、
前記セルのセットの温度と、
前記セルのセットの圧力と、の少なくとも１つを含む、請求項３０に記載のバッテリ管理方法。
【請求項３２】
さらに少なくとも１つのセンサを用いて少なくとも１つの前記基準及び／または１またはそれ以上の前記パラメータを測定するステップを備える、請求項３０または３１に記載のバッテリ管理方法。
【請求項３３】
少なくとも１つの前記バッテリは、少なくとも１つのリチウム金属バッテリを備える、請求項２３乃至３２のいずれか１項に記載のバッテリ管理方法。
【請求項３４】
さらに前記多重化スイッチ装置を用いて負荷によって用いられるトポロジで前記負荷と前記セルのセットを接続するステップを備える、請求項２３乃至３３のいずれか１項に記載のバッテリ管理方法。
【請求項３５】
それぞれの前記セルは、同じ電気化学を利用する、請求項２３乃至３４のいずれか１項に記載のバッテリ管理方法。
【請求項３６】
少なくとも１つの前記基準は、前記セルのセットの前の放電サイクルの数を含まない、請求項２３乃至３５のいずれか１項に記載のバッテリ管理方法。
【請求項３７】
負荷と前記負荷に流れるように接続されるセルのセットの間の接続期間は、少なくとも０．０１秒である、請求項２３乃至３６のいずれか１項に記載のバッテリ管理方法。
【請求項３８】
さらに、前記多重化スイッチ装置を用いて他のセルのセットが放電しない間、放電するために単一のセルのセットを分離するステップを備える、請求項２３乃至３７のいずれか１項に記載のバッテリ管理方法。
【請求項３９】
さらに、前記多重化スイッチ装置を用いて、並列接続で前記セルのセットを充電するステップを備える、請求項２３乃至３８のいずれか１項に記載のバッテリ管理方法。
【請求項４０】
所定のサイクルにおいて、それぞれの前記セルは、全てのセルが２度放電される前に、１度放電される、請求項２３乃至３９のいずれか１項に記載のバッテリ管理方法。
【請求項４１】
少なくとも１つのバッテリの２またはそれ以上のセルのセットのそれぞれのセルのセットに接続された少なくとも１つのスイッチを備える統合スイッチ制御システムを用いて、少なくとも１つの前記スイッチを制御して順次前記セルのセットを放電するステップを備え、
それぞれの前記セルのセットは、１またはそれ以上のセルを備える、バッテリバッのク制御方法。
【請求項４２】
少なくとも１つのバッテリの２またはそれ以上のセルのセットのそれぞれのセルのセットに接続された少なくとも１つのスイッチを備える統合スイッチ制御システムを用いて、少なくとも１つの前記スイッチを制御して、
負荷と前記負荷に流れるように接続されるセルのセットの間の接続期間と、
前記接続において供給された放電容量と、
１またはそれ以上のパラメータを有する関数の値と、の少なくとも１つに基づいて前記セルのセットを選択的に放電するステップを備え、
それぞれの前記セルのセットは、１またはそれ以上のセルを備える、バッテリパックの制御方法。
【請求項４３】
統合スイッチ制御システムは、少なくとも１つの前記スイッチを制御して前記セルのセットを充電する第２の速度より少なくとも２倍速い第１の速度で前記セルのセットを選択的に放電するように構成される、請求項２１または２２に記載のバッテリパック。
【請求項４４】
前記第１の速度は、前記第２の速度の４倍である、請求項４３に記載のバッテリパック。
【請求項４５】
それぞれの前記セルのセットは単一のセルを備える、請求項２１、２２、４３、４４のいずれか１項に記載のバッテリパック。
【請求項４６】
前記統合スイッチ制御システムは、少なくとも１つの前記スイッチを制御して前記セルのセットの放電を一時的に重ねるように構成される、請求項２１、２２、４３乃至４５のいずれか１項に記載のバッテリパック。
【請求項４７】
前記統合スイッチ制御システムは、少なくとも１つの前記スイッチを制御して異なるセットの間を切り替える間、前記セルのセットから電力を供給し続けるように構成される、請求項２１、２２、４３乃至４６のいずれか１項に記載のバッテリパック。
【請求項４８】
前記統合スイッチ制御システムは、少なくとも１つのプロセッサを備える、請求項２１、２２、４３乃至４７のいずれか１項に記載のバッテリパック。
【請求項４９】
少なくとも１つの前記バッテリは、少なくとも１つのリチウム金属バッテリを備える、請求項２１、２２、４３乃至４８のいずれか１項に記載のバッテリパック。
【請求項５０】
前記統合スイッチ制御システムは、少なくとも１つの前記スイッチを制御して負荷によって用いられるトポロジで前記負荷と前記セルのセットを接続するように構成される、請求項２１、２２、４３乃至４９のいずれか１項に記載のバッテリパック。
【請求項５１】
それぞれの前記セルは、同じ電気化学を利用する、請求項２１、２２、４３乃至５０のいずれか１項に記載のバッテリパック。
【請求項５２】
少なくとも１つの前記基準は、前記セルのセットの前の放電サイクルの数を含まない、請求項２１、２２、４３乃至５１のいずれか１項に記載のバッテリパック。
【請求項５３】
負荷と前記負荷に流れるように接続されるセルのセットの接続期間は、少なくとも０．０１秒である、請求項２１、２２、４３乃至４９、５１、５２のいずれか１項に記載のバッテリパック。
【請求項５４】
統合スイッチ制御システムは、少なくとも１つの前記スイッチを制御して他のセルのセットが放電していない間、放電するための単一のセルのセットを分離するように構成される、請求項２１、２２及び４３乃至５３のいずれか１項に記載のバッテリパック。
【請求項５５】
前記統合スイッチ制御システムは、少なくとも１つの前記スイッチを制御して並列接続で前記セルのセットを充電するように構成される、請求項２１、２２、４３乃至５４のいずれか１項に記載のバッテリパック。
【請求項５６】
前記統合スイッチ制御システムは、少なくとも１つの前記スイッチを制御して他のセルが放電していない間、放電するための単一のセルを分離するように構成される、請求項２１、２２、４３乃至５３、５５のいずれか１項に記載のバッテリパック。
【請求項５７】
所定のサイクルにおいて、それぞれの前記セルは、全てのセルが２度放電される前に１度放電される、請求項２１、２２、４３乃至５６のいずれか１項に記載のバッテリパック。
【請求項５８】
さらに、前記統合スイッチ制御システムを用いて少なくとも１つの前記スイッチを制御して前記セルのセットを充電する第２の速度より少なくとも２倍速い第１の速度で前記セルのセットを選択的に放電するステップを備える、請求項４１または４２に記載のバッテリパックの制御方法。
【請求項５９】
前記第１の速度は、前記第２の速度の４倍である、請求項５８に記載のバッテリパックの制御方法。
【請求項６０】
それぞれの前記セルのセットは、単一のセルを備える、請求項４１、４２、５８、５９のいずれか１項に記載のバッテリパックの制御方法。
【請求項６１】
さらに前記セルのセットの放電を一時的に重ねるステップを備える、請求項４１、４２、５８乃至６０のいずれか１項に記載のバッテリパックの制御方法。
【請求項６２】
さらに、異なるセットの間を切り替える間、前記セルのセットから電力を供給し続けるステップを備える、請求項４１、４２、５８乃至６１のいずれか１項に記載のバッテリパックの制御方法。
【請求項６３】
さらに、少なくとも１つのセンサを用いて少なくとも１つの前記基準及び／または１またはそれ以上のパラメータを測定するステップを備える、請求項４１、４２、５８乃至６２のいずれか１項に記載のバッテリパックの制御方法。
【請求項６４】
少なくとも１つの前記バッテリは、少なくとも１つのリチウム金属バッテリを備える、請求項４１、４２、５８乃至６３のいずれか１項に記載のバッテリパックの制御方法。
【請求項６５】
さらに、前記多重化スイッチ装置を用いて少なくとも１つの前記スイッチを制御して負荷によって用いられるトポロジで前記負荷と前記セルのセットを接続するステップを備える、請求項４１、４２、５８乃至６４のいずれか１項に記載のバッテリパックの制御方法。
【請求項６６】
それぞれの前記セルは、同じ電気化学を利用する、請求項４１、４２、５８乃至６５のいずれか１項に記載のバッテリパックの制御方法。
【請求項６７】
負荷と前記負荷に流れるように接続されるセルのセットの間の接続期間は、少なくとも０．０１秒である、請求項４１、４２、５８乃至６６のいずれか１項に記載のバッテリパックの制御方法。
【請求項６８】
さらに、前記統合スイッチ制御システムを用いて少なくとも１つの前記スイッチを制御して他のセルのセットが放電していない間、放電するための単一のセルのセットを分離するステップを備える、請求項４１、４２、５８乃至６７のいずれか１項に記載のバッテリパックの制御方法。
【請求項６９】
さらに、前記統合スイッチ制御システムを用いて少なくとも１つの前記スイッチを制御して並列接続で前記セルのセットを充電するステップを備える、請求項４１、４２、５８乃至６８のいずれか１項に記載のバッテリパックの制御方法。
【請求項７０】
所定のサイクルにおいて、それぞれの前記セルは、全てのセルが２度放電される前に１度放電される、請求項４１、４２、５８乃至６９のいずれか１項に記載のバッテリパックの制御方法。
【発明の詳細な説明】
【技術分野】
【０００１】
関連出願
本出願は、２０１８年７月３１日に出願され、「多重化された充電放電バッテリ管理システム」と名付けられた米国仮特許出願第６２／７１２，７６１号の米国特許法第１１９条（ｅ）の優先権を主張し、全ての目的においてその全てを本明細書に援用する。
【０００２】
電気化学セルの充電／放電管理及び関連システムが概略記載される。
【背景技術】
【０００３】
従来、バッテリは、例えば車両などの様々な工業の、例えば燃焼システムなどの確立された動力源とうまく競争することに失敗してきた。この失敗の１つの理由は、バッテリ使用者が、バッテリが従来提供する寿命と性能に満足しなかったことである。
【発明の概要】
【０００４】
本発明のいくつかの実施形態は、２またはそれ以上のセルのセットを備える少なくとも１つのバッテリであって、それぞれのセルのセットは、１またはそれ以上のセルを備える、バッテリと、それぞれのセルのセットに接続された多重化スイッチ装置と、多重化スイッチ装置を用いて少なくとも１つの基準に基づいてセルのセットを選択的に放電するように構成された少なくとも１つのコントローラと、を備えるバッテリ管理システムに関する。
【０００５】
いくつかの他の実施形態は、２またはそれ以上のセルのセットを備える少なくとも１つのバッテリであって、それぞれのセルのセットは、１またはそれ以上のセルを備えるバッテリと、それぞれのセルのセットに接続された少なくとも１つのスイッチを備える統合スイッチ制御システムと、を備え、統合スイッチ制御システムは、少なくとも１つのスイッチを制御して順次セルのセットを放電するにように構成される、バッテリパックに関する。
【０００６】
また、他の実施形態は、２またはそれ以上のセルのセットを備える少なくとも１つのバッテリであって、それぞれのセルのセットは、１またはそれ以上のセルを備えるバッテリと、それぞれのセルのセットに接続された少なくとも１つのスイッチを備える統合スイッチ制御システムと、を備え、統合スイッチ制御システムは、少なくとも１つのスイッチを制御して負荷と負荷に流れるように接続されるセルのセットの間の接続期間と、接続において供給された放電容量と、１またはそれ以上のパラメータを有する関数の値と、の少なくとも１つに基づいてセルのセットを選択的に放電するように構成される、バッテリパックに関する。
【０００７】
さらなる実施形態は、バッテリ管理方法に関する。本発明の方法は、少なくとも１つのバッテリの２またはそれ以上のセルのセットに接続される多重化スイッチ装置を用いて、少なくとも１つの基準に基づいてそれぞれのセルのセットを選択的に放電するステップを備える。いくつかの実施形態において、それぞれのセルのセットは、１またはそれ以上のセルを備える。
【０００８】
さらなる実施形態は、バッテリパックの制御方法に関する。本発明の方法は、少なくとも１つのバッテリの２またはそれ以上のセルのセットのそれぞれのセルのセットに接続された少なくとも１つのスイッチを備える統合スイッチ制御システムを用いて、少なくとも１つのスイッチを制御して順次セルのセットを放電するステップを備える。いくつかの実施形態において、それぞれのセルのセットは、１またはそれ以上のセルを備える。
【０００９】
いくつかの他の実施形態は、少なくとも１つのバッテリの２またはそれ以上のセルのセットのそれぞれのセルのセットに接続された少なくとも１つのスイッチを備える統合スイッチ制御システムを用いて、少なくとも１つのスイッチを制御して、負荷と負荷に流れるように接続されるセルのセットの間の接続期間と、接続において供給された放電容量と、１またはそれ以上のパラメータを有する関数の値と、の少なくとも１つに基づいてセルのセットを選択的に放電するステップを備え、それぞれのセルのセットは、１またはそれ以上のセルを備えるバッテリパックの制御方法に関する。
【００１０】
本発明の他の利点及び新規な特徴は、添付された図面と関連して考慮されたとき、本発明の様々な非限定の実施形態の次の詳細な記載から明白になるであろう。本明細書及び参照によって組み込まれる文献は対立する及び／または矛盾する開示を含む場合において、本明細書は、支配するであろう。
【００１１】
本発明の非限定の実施形態は、概略で、正確な比率でないことを意図する添付された図面を参照して例として記載されるであろう。図において、それぞれ同一またはほとんど同じに描かれる構成要素は、典型的に同じ符号によって表される。明確性の目的のために、全ての構成要素は全ての図で符号を付けられるものではなく、当業者が本発明を理解できるために描写が必要ない場合、本発明のそれぞれの実施形態のすべての構成要素が示されるものでもない。
【図面の簡単な説明】
【００１２】
【図１】いくつかの実施形態による、代表的なバッテリ管理システムを描くブロック図である。
【図２】いくつかの実施形態による、代表的なバッテリパックを描くブロック図である。
【図３Ａ】いくつかの実施形態による、代表的なバッテリ管理システムを描くブロック図である。
【図３Ｂ】いくつかの実施形態による、代表的なセルセットと対応する構成要素を描くブロック図である。
【図３Ｃ】いくつかの実施形態による、１またはそれ以上の電気化学セルへの異方性力の適用を描く断面概略図である。
【図３Ｄ】いくつかの実施形態による、電気化学セルの断面概略図である。
【図４Ａ】いくつかの実施形態による、バッテリのセルのセットを放電する代表的なプロセスを示すフローチャートである。
【図４Ｂ】いくつかの実施形態による、バッテリのセルのセットを放電するさらなる代表的なプロセスを示すフローチャートである。
【図５】いくつかの実施形態による、バッテリパックを制御する代表的なプロセスを示すフローチャートである。
【図６】いくつかの実施形態による、バッテリパックを制御するさらなる代表的なプロセスを示すフローチャートである。
【図７Ａ】いくつかの実施形態による、例示的な放電プロファイルを示すチャートである。
【図７Ｂ】いくつかの実施形態による、例示的な全放電プロファイルを示すチャートである。
【図７Ｃ】いくつかの実施形態による、例示的なバッテリサイクル寿命を示すチャートである。
【図８】いくつかの態様を実行するために用いられる代表的なコンピュータシステムを示すブロック図である。
【発明を実施するための形態】
【００１３】
本発明者は、バッテリ管理のための従来技術がバッテリの前の乏しい寿命と性能をもたらすと認識し、理解した。例えば、バッテリは、特に充電及び放電速度が同様である、または充電速度が放電速度より速い短いサイクル寿命（例えば容量が本来の容量の８０％未満に落ちる前の完全充電及び放電サイクルの数が少ない）に苦しんできた。例えば、多くのバッテリの使用者は、ほとんど同じ充電及び放電速度を有することをバッテリに望み（例えば充電するために４時間、放電するために４時間）、バッテリ製造者は、そのようなほとんど同じ速度を提供するバッテリ及びバッテリ管理システムを提供してきた。多くの使用者は、例えばバッテリを使用するために充電を待つ不便を解消するためになど、またそれらが放電するよりも速い速度で充電する（例えば、充電するために３０分、放電するために４時間）ことをバッテリに望んできた。
【００１４】
本発明者は、バッテリのサイクル寿命、したがってバッテリの寿命と性能は、充電速度に対する放電速度の比率を高く用いることによって大きく改善されることを認識し、理解した。さらに、本発明者は、これらの比率は、そのような比率を提供するためにバッテリ内のセルを制御するバッテリ管理システムを提供することによって用いられることを認識し、理解した。例えば、いくつかの実施形態は、セルが一斉に全てまたは一度に複数で充電され、個々にまたは小さなセットで放電されるように、セルを多重化するバッテリ管理システムに関する。これは、特に負荷及び利用物において望まれまたは要求される出力速度を提供する一方で、それらのサイクル寿命を改善するセルのために放電速度と充電速度の実際の比率をもたらす。さらに、本発明者はまた均一な電流分配を備える一度にセルの全てではないがいくつかを放電することがそれらのサイクル寿命を改善することを認識し、理解した。
【００１５】
例えば、４セルを有するバッテリを備えて、１セルは、それぞれ０．５アンペアで３時間一度に放電され、その後４セルは、０．５アンペアで１２時間充電される−そのような形態は、４：１の放電速度対充電速度の実際の比率を提供する一方、使用者からの視点の比率は、セルがそれぞれ３時間個々に放電する（合計で１２時間の放電時間となる）ので１：１である。発明者は、そのようなバッテリ管理システムは、実際はバッテリのサイクル寿命を改善する一方で、さらに使用者がバッテリに望み、要求することを使用者に提供することを認識し、理解した。いくつかの実施形態において、利益のこの二重奏を提供する機能は、使用者から隠され、セルのブロック及び／またはバッテリ自身に一体化される。
【００１６】
発明者は、バッテリのサイクル寿命は、セルのサイクル及び様々な特性（例えば、負荷と負荷に流れるように接続されるセルまたは複数のセルの間の接続期間、または複数のパラメータを考慮するさらに複雑な関数）を監視すること及び「ラウンドロビン」のような多くの単純な選択プロセスに依存するまたは前の放電プロセスの数を考慮する、特に従来技術と比較して、この監視に基づいて放電するセルを選択することによってさらに改善されることを認識し、理解した。
【００１７】
図１は、代表的なバッテリ管理システム１００を示す。いくつかの実施形態において、代表的なシステム１００は、多重化スイッチ装置（例えば１１２）コントローラ（例えば１１４）、１またはそれ以上のセンサ（例えば１１６）及び１またはそれ以上のバッテリ（例えば１２０、１３０、１４０、１５０など）を含む。単一の多重化スイッチ装置１１２、コントローラ１１４、センサ１１６のみ及び４つのバッテリ１２０−１５０のみが図１に示されるが、任意の適切な数のこれらの構成要素が用いられることが理解されるべきである。実施の多数の異なるモードのいずれかが用いられる。さらに、単一の標識付けが多重化スイッチ装置に言及するために本明細書で用いられるが、本明細書に記載される多重化する及び切り替えるために用いられる構成要素は、任意の適切な数の装置（例えばスイッチ）に分散されることが理解されるべきである。
【００１８】
いくつかの実施形態によると、バッテリまたは複数のバッテリは、少なくとも１つのリチウム金属バッテリを含む。さらに、バッテリまたは複数のバッテリ（例えば１２０−１５０）は、それぞれセルのセットとも言われる、１またはそれ以上のセルのセット（例えば１２１−１２４、１３１−１３２、１４１−１４２、１５１−１５２など）を含む。いくつかの実施形態において、２またはそれ以上のセルのセットは、例えば１２１−１２２などそれぞれのバッテリに含まれる。さらに、それぞれのセルのセット（例えばセルセット１２１）は、１またはそれ以上のセル（例えば１２１Ａ−１２１Ｃ）を含む。いくつかの実施形態において、それぞれのセルのセットは、単一のセルを有する。代わりに、それぞれのセルのセットは、複数のセルのセットを含み、セル「ブロック」を形成するまたは複数のセルのセットは、一緒にセルブロックを形成する。さらにそれぞれのセル（バッテリの、バッテリパックの全てのバッテリ、またはセルのセットの）またはセルのセットは、同じ電気化学を利用する。つまり、いくつかの実施形態において、それぞれのセルは、同じアノード活物質及び同じカソード活物質を利用する。
【００１９】
いくつかの実施形態において、多重化スイッチ装置（例えば１１２）は、例えば、以下図３Ａ及び３Ｂに関してさらに記載されるそれらなど、スイッチのアレイを含む。さらに、多重化スイッチ装置は、個々にそれぞれのセルのセット及び／またはそれぞれのセルに接続される。いくつかの実施形態において、例えば１１４などのコントローラは、多重化スイッチ装置を用いて、少なくとも１つの基準に基づいてセルまたはセルのセットを選択的に放電する。
【００２０】
例えば、基準は、例えばセルのセットと関連する所定の数または順番（最初のセットで始まり、それぞれのセットを経て最後のセットに切り替わり、その後最初のセットをはじめからやり直す）及び／または次に高い電圧または次に強いことを示すいくつかの他の測定を備えるセルまたはセルのセットに基づく順番など、セルのセットを放電する順序を含む。発明者は、順序、特に所定の番号付けを用いることは、システム（例えばマイクロプロセッサでないコントローラ）によって実行される操作の複雑さを減らし、システムの幅広いアレイによって使用できることを認識し、理解した。
【００２１】
代わりにまたはさらに、基準は、例えば次の負荷及び負荷に流れるように接続されるセルのセットの間の接続期間（いくつかの実施形態において少なくとも０．０１秒である）、接続において供給された放電容量、及び１またはそれ以上のパラメータを有する関数の値のいずれか１またはそれ以上を考慮することによってなど状況依存である。ある実施形態において、基準は、セルのセットの前の放電サイクルの数を含まない。
【００２２】
いくつかの実施形態において、関数は、例えば次の負荷とセルのセットの間の複数の接続に渡って蓄積された容量と、接続において供給された放電容量と、セルのセットの電流と、セルのセット及び／または少なくとも１つの他のセルのセットの電圧と、セルのセットのカットオフ放電電圧と、セルのセットの電力と、セルのセットのエネルギと、セルのセットの充電または放電サイクルの数と、セルのセットのインピーダンスと、接続の間のセルのセットの電圧フェージングの速度と、セルのセットの温度と、セルのセットの圧力（例えば、セル容量を示し、さらに以下に議論されるそれらの物理的筐体からセルへの圧力）のいずれか１またはそれ以上などのパラメータを有する。いくつかの実施形態によると、単一の接続において供給された放電容量は、公称容量の０．０１％から設定された公称容量の１００％の範囲（例えば９５％）である。
【００２３】
いくつかの実施形態において、センサ（例えば１１６）は、基準及び／または関数のパラメータのいずれかを測定する。例えば、センサは、所定のセルのセットの電流のアンペアを測定する電流センサを含む。基準は、複数または単数であり、流れるように放電するセルのセットに関連する及び／または次のセルのセットを決定する。
【００２４】
いくつかの実施形態において、コントローラ（例えば１１４）は、１またはそれ以上のプロセッサを含み、利用物に適切な複雑さである。例えば、いくつかの実施形態において、基準の関数を評価することは、コントローラの一部または全てを形成するマイクロプロセッサに依存する。
【００２５】
いくつかの実施形態において、コントローラは、多重化スイッチ装置を用いて、異なるプログラム可能な速度で、セルまたはセルのセットを選択的に放電及び充電する。例えば、コントローラは、多重化スイッチ装置を用いてセルのセットを充電する第２の速度の少なくとも２倍である第１の速度でセルまたはセルのセットを選択的に放電する（すなわち、充電の２倍速く放電する）。代わりにまたはさらに、放電の第１の速度は、セルのセットの充電する第２の速度の少なくとも４倍である（すなわち、充電より４倍速く放電する）。発明者は、放電速度対充電速度のそのような比率は、セルの性能及びサイクル寿命を改善することを認識し、理解した。
【００２６】
いくつかの実施形態によると、コントローラは、セルのセットの放電を一時的に重ねる。例えば、所定のセルまたはセルのセットが放電をやめる前に、別のセルまたはセルのセットが放電し始める。いくつかの実施形態において、コントローラは、異なるセットの間を切り替える間、セルのセットから電力を供給し続ける。発明者は、放電のこの一時的な重なりと電力の継続は、セルのセットの異なるセルの間の遷移の間でさえ、負荷の電力要求を維持し、さらに従来技術と比較してセルのサイクル寿命を改善することを認識し、理解した。したがって、複数のセルは、そのような重なりの間、同時に放電する。さらに、そのような重なりは、従来技術で可能であったよりも電圧のなめらかな遷移を提供する。
【００２７】
いくつかの実施形態において、負荷は、車両の少なくとも１つの構成要素である。車両は、陸地、海、及び／または大気を移動するように構成された任意の適切な車両である。例えば、車両は、自動車、トラック、オートバイ、ボート、ヘリコプタ、飛行機及び／または任意の適切なタイプの車両である。
【００２８】
代わりにまたはさらに、コントローラは、多重化スイッチ装置（例えば１１２）を用いて、負荷によって用いられるまたは要求されるトポロジで、負荷とセルのセットを接続する。
【００２９】
いくつかの実施形態において、コントローラは、多重化スイッチ装置（例えば１１２）を用いて、他のセルのセットが放電していない間、放電するための単一のセルのセットを分離する。代わりにまたはさらに、単一のセルは、一度に分離される。例えば、コントローラは、多重化スイッチ装置を用いて、他のセルまたはセルのセットが放電していない間、放電するための単一のセルのセットまたは単一のセルを分離する。いくつかの実施形態によると、所定のサイクルにおいて、それぞれのセルは、全てのセルが２度放電する前に、１度放電する（例えば、順次的な放電が用いられるが、そのような実施形態に限定しない）。
【００３０】
充電に関しては、いくつかの実施形態において、コントローラが多重化スイッチ装置を用いて、並列接続でセルのセット及び／またはセット内のセルを充電する。例えば、セルのブロック、バッテリ、または複数のバッテリの全てのセルは、放電の速度の４分の１の速度で、並列接続で充電される。
【００３１】
図２は、代表的なバッテリパック２１０を示す。いくつかの実施形態において、代表的なバッテリパック２１０は、スイッチ制御システム（例えば２１８）及び１またはそれ以上のバッテリ（例えば、１２０、１３０、１４０、１５０など）を含む。単一のスイッチ制御システム２１８のみ及び４つのバッテリ１２０−１５０のみが図２に示されるが、任意の適切な数のこれらの構成要素が用いられることが理解されるべきである。実施の多くの異なるモードのいずれかが用いられる。さらに、単一の標識付けがスイッチ制御システムに言及するために本明細書で用いられるが、本明細書に記載される制御及び切り替えのために用いられる構成要素は、任意の適切な数の装置に分散される（例えばスイッチ、コントローラなど）ことが理解されるべきである。
【００３２】
いくつかの実施形態において、スイッチ制御システム（例えば２１８）は、例えば以下図３Ａ及び３Ｂに関連してさらに記載されるスイッチのアレイなど、スイッチのアレイを含み、スイッチ制御システムはコントローラを含む。さらに、スイッチ制御システムは、上記図１に関して議論されるように、個々にそれぞれのセルのセット及び／またはバッテリのそれぞれのセルに接続される。いくつかの実施形態において、スイッチ制御システムは、バッテリパックに一体化される。さらに、スイッチ制御システムは、（例えばスイッチアレイで）スイッチを制御して、例えばセルまたはセルのセットと関連付けられる所定の順序で、順次的にセルまたはセルのセットを放電する。代わりにまたはさらに、スイッチ制御システムは、スイッチを制御して、次の負荷及び負荷に流れるように接続されるセルのセットの間の接続期間（いくつかの実施形態において少なくとも０．０１秒である）、接続において供給された放電容量。及び関数の値のいずれか１またはそれ以上に基づいてセルまたはセルのセットを放電する。ある実施形態において、制御ための基礎は、セルのセットの前の放電サイクルの数を含まなくてもよい。
【００３３】
いくつかの実施形態によると、スイッチ制御システムは、例えば上記図１に関連して記載されるコントローラの機能など、任意の数の機能を実行する。
【００３４】
代表的なシステム１００または代表的なバッテリパック２１０の構成要素のいずれかは、ハードウェア及び／またはソフトウェア構成要素の任意の適切な組み合わせを用いて実行されることが理解されるべきである。そのため、様々な構成要素は、ハードウェア及び／またはソフトウェア構成要素の任意の適切な集合を用いて、記載された機能を実行するコントローラが考えられる。
【００３５】
図３Ａは、代表的なバッテリ管理システム３００を示す。いくつかの実施形態において、代表的なシステム３００は、任意の適切な数のマルチセルブロック（例えば３２１−３２５）、バッテリセルブロック配置及びバランススイッチ構造（例えば３２６）、バッテリ管理マイクロコントローラ（例えば３２７）、バッテリシステムインターフェース（例えば３２８）、バッテリ電源端子（例えば３２９）及びセンサ（例えば３６０）を含む。マルチセルブロックは、バッテリセルブロック配置及びバランススイッチ構造に接続される。マルチセルブロックは、またバッテリ管理マイクロコントローラに接続される。
【００３６】
いくつかの実施形態において、バッテリセルブロック配置及びバランススイッチ構造は、直列接続、並列接続、直列接続／並列接続、または所定の利用物または負荷の電圧及び電流要求に合うために必要とされるその他の適切なトポロジで、セルブロック（例えば３２１−３２５）を接続する、多重化するスイッチを含む。
【００３７】
いくつかの実施形態によると、バッテリ管理マイクロコントローラは、バッテリ管理システムの充電及び放電を監視し、制御してシステム及びその構成要素の安全な動作を保証する。さらに、バッテリ管理マイクロコントローラは、使用者（システムを用いて負荷に電力を供給する消費者）及び任意の適切な内部生産、校正、及びテスト機器と連絡する。例えば、バッテリ管理マイクロコントローラは、使用者及び内部生産、校正、及びテスト機器、その他の適切なものと連絡するためにバッテリ管理マイクロコントローラにおいて必要とされるインターフェースを提供する、バッテリシステムインターフェース（例えば３２８）と接続される。
【００３８】
いくつかの実施形態において、センサは、バッテリセルブロック配置及びバランススイッチ構造、バッテリ管理マイクロコントローラ、及び／またはバッテリ電源端子と接続され、センサは、マルチセルブロック及び／またはシステムのその他の構成要素の特性を測定する。例えば、センサは、基準及び／または上記された関数のパラメータのいずれかを形成するマルチセルブロックの特性を測定する。例えば、センサは、所定のセルのセットの電流のアンペアを測定する電流センサを含む。
【００３９】
バッテリセルブロック配置及びバランススイッチ構造３２６、バッテリ管理マイクロコントローラ３２７、バッテリシステムインターフェース３２８、及びセンサ３６０は、単数形で表示され、５つのマルチセルブロック３２１−３２５のみが図３Ａに示されるが、任意の適切な数のこれらの構成要素が用いられ、それらは、複数の構成要素を表す。実施の多くの異なるモードのいずれかが用いられる。実際に、単数の標識付けが、バッテリセルブロック配置及びバランススイッチ構造に言及するために本明細書で用いられるが、本明細書で記載される配置及びバランススイッチのために用いられる構成要素は、任意の適切な数の装置（例えばスイッチ）に分散することを理解するべきである。
【００４０】
図３Ｂは、代表的なセルセット及び対応する構成要素を示す。いくつかの実施形態において、代表的なセルセットは、任意の適切な数のセル（例えば３２１Ａ−Ｃ）を含み、例えば上記されるマルチブロックセルを構成する。さらに、代表的なセルセットは、セル多重化スイッチ（例えば３２６Ａ１）、セルバランススイッチ及びレジスタ（例えば３２６Ａ２）、セルブロックマイクロコントローラ（例えば３２７Ａ、バッテリ管理マイクロコントローラインターフェース（例えば３２８Ａ）、センサ（例えば３６０Ａ）及びセルセットのための入力／出力バス（例えば３２１ＩＯ）を含む。いくつかの実施形態において、セルは、セル多重化スイッチと接続される、セルバランススイッチ及びレジスタと接続される。
【００４１】
いくつかの実施形態において、それぞれのセル（例えば、３２１Ａ−Ｃのそれぞれ）は、入力／出力バス（例えば３２１ＩＯ）から所定のセルを接続または分離する、及びバランスバスを他のセルと共有するバランスレジスタ（例えば３２６Ａ２のレジスタの１つ）と所定のセルを接続または切断する、セル多重化スイッチのアレイと接続される。さらに、放電モードにおいて、１つのセル（例えば３２１Ａ）は、入力／出力バスと接続され、バランスレジスタと切断される。残りのセル（例えば３２１Ｂ−Ｃ）は、入力／出力バスから切断され、対応するバランスレジスタと接続される。さらに、いくつかの実施形態のための充電モードにおいて、全てのセル（例えば３２１Ａ−Ｃ）は、入力／出力バスと接続され、バランスレジスタ３２６Ａ２から切断される。
【００４２】
いくつかの実施形態によると、セルブロックマイクロコントローラ（例えば３２７Ａ）は、スイッチング波形を発生して、切替の重なりと不感帯の要求が利用物または負荷に適切であることを保証する。さらにセルブロックマイクロコントローラは、セルブロックの電圧と電流を監視することによって及びセルブロックマイクロコントローラがバッテリ管理マイクロコントローラインターフェースを通して接続される、バッテリ管理マイクロコントローラ（例えば図３Ａの３２７）から連絡を受信することによって、利用物または負荷によって要求される状態を決定する。
【００４３】
図３Ｃは、実施形態の１つのセットによる、異方性力が電気化学セル（例えば３２１Ａ）に加えられる電気化学システムの例示的な断面概略描写である。用語「電気化学セル」は、一般にアノード、カソード及び電力を作り出すために電気化学反応に参加するように構成される電解質を指すために本明細書で用いられる。電気化学セルは、再充電可能であるまたは再充電可能でない。
【００４４】
図３Ｃにおいて、システムは、電気化学セル３２１Ａと、いくつかの実施形態において、電気化学セル３２１Ａと関連付けられる流体を含む、圧力分配器３３４を含む。圧力分配器３３４は、異方性力が圧力分配器３３４を通って電気化学セル３２１Ａの構成要素に加えられるように構成される。例えば、図３Ｃに描かれる実施形態のセットにおいて、圧力伝達器３３６は、圧力分配器３３４に異方性力を加えるように構成され、次に異方性力を電気化学セル３２１Ａの少なくとも１つの構成要素（例えば電極）に加えることを引き起こす。システムは、また電気化学セルが配置される基板３３２を含む。基板３３２は、例えばテーブルの天板、電気化学セル３２１Ａが収納される容器の表面、またはその他の適切な表面を含む。
【００４５】
圧力分配器３３４は、本明細書に記載される本発明のシステム及び方法を作り出すために様々な適切な形態の電気化学セル３２１Ａと関連付けられる。本明細書で用いられるように、圧力分配器は、圧力分配器に及び／または圧力分配器を通って加えられる力の少なくとも一部が電気化学セルの構成要素に伝達されるとき電気化学セルと関連付けられる。例えば、ある実施形態において、圧力分配器は、圧力分配器が電気化学セルまたはその構成要素と直接接触であるとき、電気化学セルと関連付けられる。一般に、第１の物品と第２の物品が直接触れるとき、第１の物品と第２の物品は、直接接触である。例えば、図３Ｃにおいて、圧力分配器３３４と電気化学セル３２１Ａは直接接触である。
【００４６】
ある実施形態において、圧力分配器は、圧力分配器が電気化学セルの少なくとも１つの構成要素と間接接触するとき、電気化学セルと関連付けられる。一般に、経路が固体及び／または液体構成要素のみと交差する第１の物品と第２の物品の間をたどることができるとき第１の物品と第２の物品は間接接触である。そのような経路は、ある実施形態において、実質的に直線の形態であることができる。ある実施形態において、１またはそれ以上の固体及び／または液体材料がその間に配置されるが、力がまだ圧力分配器を通って電気化学セルに加えられるとき、圧力分配器は、電気化学セルと間接接触である。
【００４７】
ある実施形態において、圧力分配器は、電気化学セルの構成要素を少なくとも部分的に（例えば完全に）囲う容器の境界内に配置されるとき、電気化学セルと関連付けられる。例えば、ある実施形態において、圧力分配器３３４は、電極と電気化学セルを少なくとも部分的に囲う容器の間に配置される。ある実施形態において、圧力分配器３３４は、集電体と電気化学セルを少なくとも部分的に囲う容器の間に配置される。いくつかの実施形態において、圧力分配器３３４は、例えば電気化学セルの電極の隣並びに電気セルの電極及び電解質を少なくとも部分的に含む容器内に配置される集電体として用いられる。これは、例えば電気化学セルの電極へ及び／または電極から電子を輸送するのに十分な導電性がある材料（例えば金属ホイルなどの金属、導電性ポリマなど）から圧力分配器３３４を製造することによって達成される。
【００４８】
いくつかの実施形態において、圧力分配器は、電気化学セルの構成要素を少なくとも部分的に（例えば完全に）囲う容器の境界の外側に配置されるとき、電気化学セルと関連付けられる。例えば、ある実施形態において、圧力分配器３３４は、電気化学セルの電極及び電解質を少なくとも部分的に囲う容器の外面と直接にまたは間接に接触して配置される。
【００４９】
ある実施形態において、圧力分配器は、電気化学セルの少なくとも１つの電極から比較的短い距離に配置される。例えば、ある実施形態において、圧力分配器と電気化学セルの電極の間の最も短い距離は、電極の最大断面寸法の少なくとも約１０倍未満、約５倍未満、約２倍未満、約１倍未満、約０．５倍未満、または約０．２５倍未満である。
【００５０】
いくつかの実施形態において、圧力分配器は、電気化学セルの特定の電極（例えばアノード）と関連付けられる。例えば、圧力分配器は、電気化学セルの電極（例えばリチウムを含むアノードなどのアノード）と直接にまたは間接に接触する。ある実施形態において、圧力分配器は、電極を少なくとも部分的に含む容器の外側に配置されるが、例えば液体及び／または固体構成要素のみが圧力分配器から電極を分離するときなど、まだ電極と関連付けられる。例えば、圧力分配器が電極及び液体電解質を少なくとも部分的に囲う容器と直接にまたは間接に接触して配置されるある実施形態において、圧力分配器は、電極と関連付けられるであろう。
【００５１】
ある実施形態において、力は、圧力分配器３３４を通って電気化学セル３２１Ａまたは電気化学セル３２１Ａの構成要素（例えば、電気化学セルの電極）に加えられることができる。本明細書で用いられるように、力は、第２の構成要素が力の源から第１の構成要素に力を少なくとも部分的に伝達するとき、第２の構成要素（例えば圧力分配器）を通って、第１の構成要素（例えば電気化学セル）に加えられる。
【００５２】
力は、様々な方法で圧力分配器を通って電気化学セルまたはその構成要素に加えられることができる。ある実施形態において、力を圧力分配器に加えることは、力を圧力分配器の外面に加えることを含む。これは、例えば圧力伝達器３３６によって達成される。例えば、図３Ｃにおいて、圧力伝達器３３６は、力を圧力分配器３３４の表面３４０に加えることによって、異方性力を、圧力分配器３３４を通って電気化学セル３２１Ａに加えるように配置される。本明細書で用いられるように、第１の構成要素は、第１の構成要素に及び／または第１の構成要素を通って力の少なくとも一部が第２の構成要素に伝達されることができるように、第１及び第２の構成要素が配置されるとき、異方性力を第２の構成要素に加えるように配置される。ある実施形態において、圧力伝達器及び圧力分配器は直接接触する。いくつかの実施形態において、１またはそれ以上の材料（例えば１またはそれ以上の固体及び／または液体材料）は、圧力伝達器と圧力分配器の間に配置されるが、力は、まだ圧力伝達器によって圧力分配器に加えられることができる。ある実施形態において、圧力伝達器及び圧力分配器は、連続経路が固体及び／または液体材料を通って、圧力分配器から電気化学セルにたどるように、間接接触することができる。そのような経路は、ある実施形態において、実質的に（例えば完全に）まっすぐである。
【００５３】
図３Ｃに描かれる実施形態のセットにおいて、圧力伝達器３３６及び電気化学セル３２１Ａは、圧力分配器３３４の対向面に配置される。したがって、異方性力（例えば矢印１５０の方向の異方性力）が圧力伝達器３３６に及び／または圧力伝達器３３６によって表面３４０に加えられたとき、力は圧力分配器３３４を通って電気化学セル３２１Ａの表面３４２上に、及び電気化学セル３２１Ａの構成要素に伝達する。
【００５４】
いくつかの実施形態において、力を圧力分配器に加えることは、力を圧力分配器の内面に加えることを含む。例えば、ある実施形態において、力は圧力分配器内の流体の圧力を維持する及び／または増すことによって、圧力分配器を通って電気化学セルに加えられることができる。図３Ｃに描かれる実施形態のセットにおいて、力は圧力分配器３３４の注入口（図示せず）を通って追加の流体を運ぶことによって（例えば圧力分配器３３４を膨張することによって）圧力分配器３３４を通って電気化学セル３２１Ａに加えられる。いくつかのそのような実施形態において、圧力分配器内の圧力が維持される及び／または増すとき、圧力伝達器の動作は、力が電気化学セルの外面及び／または電気化学セルの構成要素（例えば電気化学セル内の電極の活性面）に作り出されるように制限される。例えば、図３Ｃにおいて、追加の流体が圧力分配器３３４に加えられるので、圧力伝達器３３６は、力が電気化学セル３２１Ａの表面３４２に加えられるように、圧力分配器３３４の境界の動作を制限するように構成される。
【００５５】
ある実施形態において、流体は、電気化学セル３２１Ａと圧力伝達器３３６の間に配置される前に圧力分配器３３４に加えられる。流体が加えられた後、圧力分配器３３４は、電気化学セル３２１Ａと圧力伝達器３３６の間に圧縮され、配置される、その後、圧力分配器３３４内の流体の圧縮は、電気化学セル３２１Ａの表面３４２に（そして、したがって例えば電極の活性面など、電気化学セルの１またはそれ以上の構成要素の表面に）加えられる力を作り出す。本開示を与えられた当業者は、力が圧力分配器を通って電気化学セルに加えられる追加のシステム及び方法を設計することができるであろう。
【００５６】
圧力分配器３３４内の流体は、圧力分配器３３４を通って伝達される圧力を、電気化学セル３２１Ａの表面３４２に比較的均一に（そして、したがって例えば電極の活性面など、電気化学セルの１またはそれ以上の構成要素の表面に比較的均一に）加えることができる。特定の理論に縛られることを望まずに、圧力分配器３３４内の流体の存在は、比較的高い圧力領域内の流体が比較的低い圧力の領域に運ばれるので、表面３４２の比較的高い圧力の点を減らす及び／または排除すると思われる。
【００５７】
いくつかの実施形態において、圧力分配器が電気化学セルに加えられる力を均一に分配する度合いは、圧力伝達器の外面が電気化学セルまたはその容器の外面と適切に揃えられるならば強化される。例えば、図３Ｃに描かれる実施形態のセットにおいて、圧力伝達器３３６の外面３４０は、電気化学セル３２１Ａの外面３４２に面する。ある実施形態において、圧力伝達器の外面は、力が加えられる電気化学セルの外面と実質的に平行である。例えば、図３Ｃに描かれる実施形態のセットにおいて、圧力伝達器３３６の外面３４０は、電気化学セル３２１Ａの外面３４２と実質的に平行である。本明細書で用いられるように、２つの表面は、２つの表面が約１０°以下角度を形成するとき互いに実質的に平行である。ある実施形態において、２つの実質的に平行な表面は、約５°以下、約３°以下、約１°以下、または約０．１°以下の角度を形成する。
【００５８】
圧力分配器は、様々な適切な形態を有する。ある実施形態において、圧力分配器は、バッグまたは流体が含まれる他の適切な容器を備える。いくつかの実施形態において、圧力分配器は、力が圧力分配器に加えられる方向に沿って変形するように構成されたベローズを備える。
【００５９】
圧力分配器容器は、様々な材料で作られる。ある実施形態において、圧力分配器容器は、柔軟な材料を含む。例えば、ある実施形態において、圧力分配器容器は、例えばポリエチレン（例えば線状低密度及び／または超低密度ポリエチレン）、ポリプロピレン、ポリ塩化ビニル、ポリビニルジクロライド、ポリ塩化ビニリデン、エチレン酢酸ビニル、ポリカーボネート、ポリメタクリレート、ポリビニルアルコール、ナイロン、シリコーンゴム（例えばポリジメチルシロキサン）及び／または他の天然または合成ゴムまたはプラスチックなど、ポリマを含む。ある実施形態において、（例えばガスが圧力分配器内の流体として用いられる実施形態において）圧力分配器容器は、流体（例えばガス）が圧力分配器内に保持される度合いを強化する金属層（例えばアルミニウム金属層）を含むことができる。柔軟な材料の使用は、ある実施形態において、それらが比較的容易に圧力分配器の内容物の再分配ができ、力が均一に加えられる度合いを強化するので、都合がよい。
【００６０】
いくつかの実施形態において、圧力分配器は、弾性材料を含む。ある実施形態において、圧力分配器が製造される材料の弾性は、圧力分配器が隣接する構成要素に圧力分配器に加えられる所望の大きさの力を伝達するように選択される。説明するために、ある場合において、圧力分配器が非常に柔軟な材料で作られるならば、圧力分配器に加えられる比較的高い割合の力が、隣接する電気化学セルに伝達されるよりむしろ圧力分配器材料を弾性的に変形するために用いられる。ある実施形態において、圧力分配器は、約１ＧＰａ未満のヤング率を有する材料で形成されることができる。当業者は、例えば引張試験（ｔｅｎｓｉｌｅ  ｔｅｓｔ）（またときどき引張試験（ｔｅｎｓｉｏｎ  ｔｅｓｔ）とも言う）を実行することによって所定の材料のヤング率を測定することができるであろう。用いられる例示的な弾性ポリマ（すなわちエラストマ）は、シリコーンポリマ、エポキシポリマ及びアクリレートポリマの一般分類を含む。
【００６１】
ある実施形態において、圧力分配器は、流体を含む囲われた容器を備える。圧力分配器は、ある実施形態において流体を含む開いた容器を備える。例えばいくつかの実施形態において、圧力分配器は、以下にさらに詳細に記載されるように、圧力分配器を通って流体を運ぶように構成され、配置された装置と流体接続する容器を備える。
【００６２】
様々な流体は、圧力分配器と関連して用いられる。本明細書で用いられるように、「流体」は、一般に流れてその容器の輪郭に適合する傾向がある物質を指す。流体の例は、液体、ガス、ゲル、粘弾性流体、溶液、懸濁液、流動化粒子などを含む。通常、流体は、静的せん断応力に耐えるように用いられることができる材料であり、せん断応力が加えられたとき、流体は、継続的かつ永続的なゆがみを経験する。流体は、流れと与えられた力の再分配を許容する任意の適切な粘性を有する。
【００６３】
ある実施形態において、圧力分配器内の流体は、ガス（例えば空気、窒素、希ガス（例えばヘリウム、ネオン、アルゴン、クリプトン、キセノンなど）、冷媒のガス、またはこれらの組み合わせ）を含む。ある実施形態において、圧力分配器内のガスは、ガスが圧力分配器の壁を通って浸透する度合いを制限することができる比較的高分子量（例えば少なくとも約１００ｇ／ｍｏｌ）を備える。いくつかの実施形態において、圧力分配器内の流体は、これに限定されるものではないが、水、電解質（例えば電気化学セルに用いられるものと同様のまたは同じ液体電解質など）グリース（例えば、ワセリン、テフロン（登録商標）グリース、シリコーングリースなど）、油（例えば鉱物油など）などを含む液体を含む。ある実施形態において、圧力分配器内の流体はゲルを含む。圧力分配器内の使用のための適切なゲルは、これに限定されるものではないが、ヒドロゲル（例えばシリコーンゲルなど）、オルガノゲル、またはキセロゲルを含む。ある実施形態において、流体は、固体粒子の流動床（例えば砂、粉体など）を含む。流動化は、例えば粒子にガス及び／または液体を通すことによって、及び／または粒子が互いに対して動くように粒子を配置する基板を振動することによって達成される。
【００６４】
圧力分配器と関連して用いられる流体は、任意の適切な粘性を有する。ある実施形態において、ニュートン流体は、本発明でそのように限定しないが圧力分配器内で用いられ、非ニュートン流体（例えばずり流動化流体、せん断増粘液など）は、また用いられることができる。ある実施形態において、圧力分配器は、室温で約１×１０７センチポアズ（ｃＰ）未満、約１×１０６ｃＰ未満、約１×１０５ｃＰ未満、約１０００ｃＰ未満、約１００ｃＰ未満、約１０ｃＰ未満、または約１ｃＰ未満（及びいくつかの実施形態において、約０．００１ｃＰより大きく、約０．０１ｃＰより大きく、または約０．１ｃＰより大きく）定常状態のせん断粘度を備えるニュートン流体を含むことができる。
【００６５】
ある実施形態において、圧力分配器内の流体は、圧力分配器に入って及び／または圧力分配器から出て運ばれるのに適切であるように選択される。例えば、ある実施形態において、流体は、圧力分配器に運ばれて（例えば、電気化学セルと圧力伝達器の間に配置されたとき、圧力分配器内に流体を圧縮することによって）異方性力を電気化学セルに加える。別の実施例として、流体は、圧力分配器に入って及び／または圧力分配器から出て運ばれて、熱をシステムの構成要素に及び／またはシステムの構成要素から移す。
【００６６】
圧力伝達器３３６は、また様々な形態を選ぶことができる。ある実施形態において、圧力伝達器３３６は、電気化学セル３２１Ａに対して移動可能である。いくつかのそのような実施形態において、力は、電気化学セル３２１Ａに近い圧力伝達器３３６を動かすことによって及び／または電気化学セル３２１Ａと圧力伝達器３３６の間の分離を維持することによって圧力分配器３３４を通って電気化学セル３２１Ａに加えられる。１つの特定の実施例として、いくつかの実施形態において圧力伝達器３３６は、圧縮ばね、第１のアプリケータ構造及び第２のアプリケータ構造を含む。第１のアプリケータ構造は、例えば硬い材料の平坦な板、またはその他の適切な構造に対応する。第２のアプリケータ構造は、例えば硬い材料の第２の板、電気化学セルが収納される容器の壁の一部、またはその他の適切な構造に対応する。いくつかの実施形態において、力は、圧縮ばねがアプリケータ構造とアプリケータ構造の間に圧縮されるとき、電気化学セル３２１Ａの表面３４２に加えられる。ある実施形態において、皿ばね座金、小ねじ、空気圧装置、おもり、エアシリンダ、及び／または油圧シリンダが圧縮ばねの代わりにまたは圧縮ばねに追加して用いられる。いくつかの実施形態において、力は、電気化学セルの１またはそれ以上の外面の周りに配置された収縮要素（例えば、ゴムバンド、引き締めねじバンドなど）を用いて電気化学セルに加えられる。力を電気化学セルに加える様々な適切な方法が、例えば「電気化学セルの力の適用」という名称の２００９年８月４日に出願されたＳｃｏｒｄｉｌｉｓ−Ｋｅｌｌｅｙらの米国特許公開公報第２０１０／００３５１２８号に記載され、全ての目的のためのその全てを本明細書に援用する。
【００６７】
ある実施形態において、圧力伝達器３３６は、電気化学セル３２１Ａに対して実質的に移動可能でなく、力は、例えば圧力分配器３３４を加圧することによって、電気化学セルに加えられる。いくつかのそのような実施形態において、圧力分配器を加圧することは、実質的に動くことができない圧力伝達器３３６が、圧力分配器３３４の境界の１またはそれ以上の移動を制限し、それにより異方性力を電気化学セル３２１Ａに加えるので、電気化学セルに力の適用をもたらす。
【００６８】
ある実施形態において、圧力伝達器は、実質的に硬い構造（例えば電気化学セルを囲うパッケージ）の全てまたは一部を含み、圧力伝達器の移動は、実質的に硬い構造の非柔軟性の度合いによって制限される。ある実施形態において、圧力伝達器は、その移動を制限することができるシステムの他の構成要素の少なくとも一部と一体化する構造を備える。例えば、ある実施形態において、圧力伝達器は、電気化学セル３２１Ａと圧力分配器３３４が配置されるパッケージの１またはそれ以上の壁の少なくとも一部を備える。１つの特定の実施例として、圧力伝達器３３６は、電気化学セル３２１Ａを含むパッケージの第１の壁を形成してもよい一方で、基板３３２は、パッケージの（例えば第１の壁と対向する）第２の壁を形成する。ある実施形態において、圧力伝達器３３６の移動は、その移動が制限されるように圧力伝達器内及び／または圧力伝達器に力を加えることによって制限される。これらの場合のいずれかにおいて、力は、ある実施形態において、圧力分配器３３４に流体を加える及び／または圧力分配器３３４内の流体の量を維持することによって、電気化学セルに加えられる。
【００６９】
図３Ｃは、単一の圧力伝達器及び単一の圧力分配器が力を電気化学セルに加えるために用いられる実施形態のセットを描く。ある実施形態において、しかしながら、２以上の圧力分配器及び／または２以上の圧力伝達器が用いられることができる。例えば、いくつかの実施形態において、システムは、電気化学セル３２１Ａの下に配置された第２の圧力分配器及び第２の圧力分配器の下に配置された第２の圧力伝達器を含む。ある実施形態において、実質的に均一に分配された力が、例えば力を第２の圧力伝達器に及び第２の圧力伝達器を通って及び第２の圧力分配器の表面上に加えることによって、第２の圧力分配器を通って電気化学セル３２１Ａの外面に加えられる。
【００７０】
いくつかの実施形態において、流体は、圧力分配器の中に及び／または圧力分配器から出て運ばれて、電気化学セル３２１Ａに及び／または電気化学セル３２１Ａから熱を運ぶ。例えば、圧力分配器３３４は、圧力分配器３３４を通って流体を運ぶように構成された注入口及び排出口を含む。流体は、圧力分配器３３４を通って運ばれるので、電気化学セル３２１Ａから熱を吸収し、排出口を通ってシステムから熱を運ぶ。任意の適切な装置は、例えばポンプ、真空、またはその他の適切な装置など、圧力分配器を通って流体を運ぶために用いられる。
【００７１】
ある実施形態において、圧力分配器に関連して用いられる流体は、所望の度合いにシステムを冷却または加熱するように選択される。例えば、ある実施形態において、圧力分配器内の流体は、例えば水、エチレングリコール、ジエチレングリコール、プロピレングリコール、ポリアルキレングリコール（ＰＡＧｓ）、油（例えば鉱物油、ひまし油、シリコーンオイル、フルオロカーボンオイル、及び／または冷媒（例えばフロン、クロロフルオロカーボン、パーフルオロカーボンなど）などの、クーラントを含む。
【００７２】
本明細書に記載される実施形態は、様々な電気化学セルで用いられる。一次（使い捨て）電気化学セル及び二次（再充電可能）電気化学セルは本明細書に記載される実施形態と関連して用いられるが、いくつかの実施形態は、例えば、（再）充電プロセスの間、均一な力の適用によって提供される利点によって、二次電気化学セルをメリットがあるように利用する。ある実施形態において、電気化学セルは、例えばリチウム硫黄電気化学セル（及び例えばそのバッテリなど複数のセルのアセンブリ）などリチウムベースの電気化学セルを含む。
【００７３】
本発明は、多様な電気化学装置で使用を見つけられるが、１つのそのような装置の例は、説明の目的のみために図３Ｄに提供される。図３Ｄにおいて、電気化学セル３２１Ａの一般の実施形態は、カソード３１０、アノード３１２、並びにカソード及びアノードと電気化学連通する電解質３１４を含む。
【００７４】
いくつかの場合において、電気化学セル３２１Ａは、閉じ込め構造３１６によって少なくとも部分的に任意に含まれる。閉じ込め構造３１６は、これに限定されるものではないが、円筒、角柱（例えば三角柱、四角柱など）、立方体、またはその他の形状を含む、様々な形状を備える。ある実施形態において、圧力分配器は、表面３１８Ａ及び／または表面３１８Ｂと直接または間接に接触して閉じ込め構造３１６の外側に圧力分配器を配置することによって、電気化学セル３２１Ａと関連付けられる。このように配置されるとき、圧力分配器は、上記されたように、閉じ込め構造３１６の表面３１８Ａ及び／または３１８Ｂに直接または間接に力を加えるように構成される。ある実施形態において、圧力分配器は、カソード３１０と閉じ込め構造３１６の間、またはアノード３１２と閉じ込め構造３１６の間に配置される。いくつかのそのような実施形態において、閉じ込め構造は、圧力伝達器として作用する及び／または分離した圧力伝達器が閉じ込め構造を通って圧力分配器に力を加えるように構成される。
【００７５】
典型的な電気化学セルシステムは、またもちろん集電体、外部回路などを含むであろう。当業者は、図に示される及び本明細書に記載される一般的な概略配置で利用される多くの配置をよく知っている。
【００７６】
電気化学セル３２１Ａの構成要素は、いくつかの場合において、電解質が平面構成でカソードとアノードの間に配置されるように組み立てられる。例えば、図３Ｄに描かれる実施形態において、電気化学セル３２１Ａのカソード３１０は、実質的に平面である。実質的に平面なカソードは、例えば金属ホイルまたは電気化学セル３２１Ａのアセンブリに含まれる（図３Ｄに描かれないが）もしくは電気化学セルの組み立て前にカソード３１０から取り外される他の適切な基板など、平面基板にカソードスラリを被覆することによって形成されることができる。さらに、図３Ｄにおいて、アノード３１２は、実質的に平面であるとして描かれる。実質的に平面なアノードは、例えば金属リチウムのシートを形成することによって、平面基板にアノードスラリを形成することによって、またはその他の適切な方法によって形成されることができる。電解質３１４は、また図３Ｄで実質的に平面であるとして描かれる。
【００７７】
ある実施形態において、電気化学セル３２１Ａは、例えば元素金属及び／または金属合金など、金属を含む電極を備える。１つの特定の例として、ある実施形態において、電気化学セル３２１Ａは、元素リチウム（例えば元素リチウム金属及び／またはリチウム合金）を含むアノードを備える。ある実施形態において、電気化学セルに加えられる異方性力は、力の適用が、以下にさらに詳細に記載されるように、電気化学セルの電極内の金属の表面形態に影響を与えるように十分に大きい。
【００７８】
図３Ｄは、平面構成に配置された電気化学セルを描くが、任意の電気化学セル配置が任意の形態で、本発明の原理を用いて、構成されることが理解されるべきである。図３Ｄに描かれる形状に加えて、本明細書に記載される電気化学セルは、これに限定されるものではないが、円筒、折り畳まれた複数の層構造、角柱（例えば、三角柱、四角柱など）、「スイスロール」、非平面複数の層構造などを含むその他の形状であってもよい。さらなる形態は、Ａｆｆｉｎｉｔｏらの「再充電可能なリチウムバッテリを含む水性及び非水性電気化学セルの両方の電極保護」と名付けられ、２００６年４月６日に出願された米国特許出願第１１／４００，０２５に記載され、その全てを本明細書に援用する。
【００７９】
いくつかの実施形態において、カソード及び／またはアノードは、少なくとも１つの活性面を備える。本明細書で用いられるように、用語「活性面」は、電解質と物理接触し、電気化学反応が起こる電極の表面を記載するために用いられる。例えば、図３Ｄに描かれる実施形態のセットにおいて、カソード３１０は、カソード活性面３２０を含み、アノード３１２は、アノード活性面３２２を含む。
【００８０】
ある実施形態において、圧力伝達器３３６に及び／または圧力分配器３３４（及び最終的にいくつかの場合において電気化学セル３２１Ａの表面３４２）を通って加えられる異方性力は、電気化学セル内の電極（例えばリチウム金属を含むアノードなどのアノード）の活性面の法線の成分を含む。したがって、圧力分配器３３４を通って電気化学セルに異方性力を加えることは、電気化学セル内の電極（例えばアノード）の活性面に加えられる異方性力をもたらす。平面の電極表面の場合において、加えられる力は、力が加えられる点における電極活性面の法線の成分を備える異方性力を含む。例えば、図３Ｃ及び図３Ｄに描かれる実施形態のセットを参照すると、矢印３７０の方向の異方性力は、圧力分配器３３４を通って電気化学セル３２１Ａに加えられる。矢印３７０の方向に加えられた異方性力は、アノード活性面３２２の法線とカソード活性面３２０の法線である成分３７２を含むであろう。さらに矢印３７０の方向に加えられる異方性力は、アノード活性面３２２とカソード活性面３２０の法線でない（及び実際に平行である）成分３７４をふくむであろう。
【００８１】
曲面（例えば凹面または凸面）の場合において、電気化学セルに加えられる力は、力が加えられる点において曲面と接する平面の法線の成分を備える異方性力を含む。
【００８２】
実施形態の１つのセットにおいて、本発明のシステム及び方法は、セルの充電及び／または放電の間の少なくとも１つの期間の間、電極（例えばアノード）の活性面の法線の成分を有する異方性力が電気化学セルに加えられるように構成される。いくつかの実施形態において、力は、継続的に、１つの期間にわたって、または期間及び／または周波数が変わる複数の期間にわたって、加えられる。
【００８３】
加えられる力の規模は、いくつかの実施形態において、電気化学セルの性能を強化できるほど十分に大きい。ある実施形態において、電極活性面（例えばアノード活性面）と異方性力は、異方性力が電極活性面の表面形態に影響を与えて、充電放電によって電極活性面領域の増加を抑制するように一緒に選択され、異方性力が欠如するが、しかしそれ以外は本質的に同じ条件の下で、電極活性面領域は、充電放電サイクルによって大幅に増加する。この文脈で「本質的に同じ条件」は、利用物及び／または力の規模以外同様または同じである条件を意味する。例えば、それ以外同じ条件は、同一であるセルを意味するが、異方性力を対象の電気化学セルに加えるために（例えば、ブラケットまたは他の接続によって）構成されない。
【００８４】
電極活性面と異方性力は、当業者によって容易に、本明細書に記載される結果を達成するために一緒に選択される。例えば、電極活性面が比較的柔らかいとき、電極活性面の法線の力の成分は、小さく選択される。電極活性面が硬いとき、電極活性面の法線の力の成分は、大きいであろう。本開示を与えられた当業者は、本明細書に記載されたものを達成するために、容易に既知のまたは予測可能な特性でアノード材料、合金、混合物などを選択でき、またはすぐにそのような表面の硬さまたは柔らかさを試験でき、及びすぐに適切な異方性力を提供するためにセル構成技術及び配置を選択できる。簡単な試験は、例えば（セルサイクルの間、選択された組み合わせの予測のための）セルサイクルなしにまたは選択に関連する結果の観察を備えるセルサイクルとともに表面に力の形態学的効果を決定するために、活性面の法線に加えられる一連の力（または法線の成分）のそれぞれと一連の活物質を配置することによって、なされる。
【００８５】
上記されたように、いくつかの実施形態において、（例えばアノードの）電極活性面の法線の成分を有する異方性力は、異方性力のない表面領域の増加に対する電極活性面の表面領域の増加を抑制するのに効果的な範囲に、セルの充電及び／または放電の間の少なくとも１つの期間の間、加えられる。電気活性面の法線の異方性力の成分は、少なくとも約２０Ｎ／ｃｍ２、少なくとも約２５Ｎ／ｃｍ２、少なくとも約３５Ｎ／ｃｍ２、少なくとも約４０Ｎ／ｃｍ２、少なくとも約５０Ｎ／ｃｍ２、少なくとも約７５Ｎ／ｃｍ２、少なくとも約９０Ｎ／ｃｍ２、少なくとも約１００Ｎ／ｃｍ２、少なくとも約１２５Ｎ／ｃｍ２、少なくとも約１５０Ｎ／ｃｍ２、少なくとも約２００Ｎ／ｃｍ２、少なくとも約３００Ｎ／ｃｍ２、少なくとも約４００Ｎ／ｃｍ２、少なくとも約５００Ｎ／ｃｍ２の圧力を定義する。ある実施形態において、アノード活性面の法線の異方性力の成分は、例えば約５００Ｎ／ｃｍ２未満、約４００Ｎ／ｃｍ２未満、約３００Ｎ／ｃｍ２未満、約２００Ｎ／ｃｍ２未満、約１９０Ｎ／ｃｍ２未満、約１７５Ｎ／ｃｍ２未満、約１５０Ｎ／ｃｍ２未満、約１２５Ｎ／ｃｍ２未満、約１１５Ｎ／ｃｍ２未満、約１１０Ｎ／ｃｍ２未満の圧力を定義する。力と圧力は、それぞれＮ（ニュートン）及びＮ／単位領域の単位で本明細書に記載されるが、力及び圧力は、またそれぞれｋｇｆ（キログラム重）及びｋｇｆ／単位領域の単位で表現される。当業者はｋｇｆベースのユニットに親和性があり、１ｋｇｆは約９．８Ｎと等価であると理解する。
【００８６】
ある実施形態において、電気化学セル内の電極の活性面の法線の異方性力の成分は、（例えば電気化学セルの充電及び／または放電の間）電極の降伏応力の少なくとも約５０％、少なくとも約７５％、少なくとも約１００％、少なくとも約１２０％である圧力を定義する。ある実施形態において、電気化学セル内の電極の活性面の法線の異方性力の成分は、（例えば電気化学セルの充電及び／または放電の間）電極の降伏応力の約２５０％未満または約２００％未満である圧力を定義する。例えば、いくつかの実施形態において、電気化学セルは、アノード（例えばリチウム金属及び／またはリチウム合金を含むアノードなど）を備え、アノード活性面の法線である加えられる異方性力の成分は、アノードの降伏応力の少なくとも約５０％、少なくとも約７５％、少なくとも約１００％、または少なくとも約１２０％（及び／またはアノードの降伏応力の少なくとも約２５０％未満または約２００％未満）である圧力を定義する。いくつかの実施形態において、電気化学セルは、カソードを備え、カソード活性面の法線の異方性力の成分は、カソードの降伏応力の少なくとも約５０％、少なくとも約７５％、少なくとも約１００％、または少なくとも約１２０％（及び／またはカソードの降伏応力の約２５０％未満または約２００％未満）である圧力を定義する。
【００８７】
いくつかの場合において、異方性力は、電気化学セルの１またはそれ以上の外面にわたって、及び／または電気化学セル内の電極の１またはそれ以上の外面にわたって、比較的均一である圧力を定義する。いくつかの実施形態において、電気化学セルの１またはそれ以上の外面の領域及び／または電極（例えばアノード）の１またはそれ以上の活性面の領域の少なくとも約５０％、少なくとも約７５％、少なくとも約８５％、少なくとも約９０％、少なくとも約９５％、または少なくとも約９８％は、異方性力によって定義される圧力の実質的に均一な分配を含む均一な領域を定義する。この文脈において、「電気化学セルの表面」及び「電極の表面」は、電気化学セル及び電極の幾何的表面を指し、当業者によって例えば顕微鏡測定ツール（例えば定規）によって測定され、内面領域（例えば発泡体などの多孔質材料の孔内の領域、またはメッシュ内に含まれ、外側の境界を定義しないメッシュのそれらの繊維の表面領域など）を含まない領域など、電気化学セル及び電極の外側の境界を定義する表面を指す。
【００８８】
いくつかの実施形態において、（前の段落で記載される）均一な領域の約１０％、約５％、約２％、約１％を覆う任意の連続な領域が、均一な領域の全体にわたる平均の圧力に対して、約２５％未満、約１０％未満、約５％未満、約２％未満、または約１％未満で変わる平均圧力を含むとき、圧力は、表面にわたって実質的に均一に分配される。
【００８９】
別の言い方をすると、いくつかの実施形態において、電気化学セルの表面の領域及び／または電極の活性領域の少なくとも約５０％（または少なくとも約７５％、少なくとも約８５％、少なくとも約９０％、少なくとも約９５％、少なくとも約９８％）は、本質的に均一に加えられた圧力の第１の連続領域を定義し、第１の領域は、第１に平均して加えられた圧力を有する。いくつかの場合において、電気化学セル及び／または電極の表面の第１の連続領域の約１０％（または約５％、約２％、または約１％）を覆う任意の連続領域は、第１の連続領域にわたる第１に平均して加えられた圧力に対して約２５％未満（または約１０％未満、約５％未満、約２％未満、または約１％未満）で変わる第２に平均して加えられる圧力を含む。
【００９０】
当業者は、例えば、表面部分内の代表的な数の点において加えられる力レベルを決定し、表面部分の位置の関数として加えられる圧力の３次元プロットを積分し、表面部分の表面領域で積分を割ることによって表面の部分内に平均して加えられる圧力を決定することができる。当業者は、例えば圧力場を測定するＴｅｋｓｃａｎ  Ｉ−スキャンを用いることによって、表面部分にわたる加えられた圧力のプロットを作り出すことができる。
【００９１】
本明細書に記載された電気化学セルのアノードは、様々なアノード活物質を含む。本明細書で用いられるように、用語「アノード活物質」は、アノードと関連する任意の電気化学的活性種を指す。例えば、アノードは、リチウム含有材料を含み、リチウムは、アノード活物質である。本明細書に記載される電気化学セルのアノードのアノード活物質として使用のための適切な電気活性材料は、これに限定されるものではないが、リチウムホイル及び導電基板上に堆積されたリチウムなどのリチウム金属、及びリチウム合金（例えばリチウム−アルミニウム合金及びリチウム−スズ合金など）を含む。基板上に負極材料（例えばリチウムなどのアルカリ金属アノード）を堆積する方法は、例えば熱蒸発、スパッタリング、ジェット蒸着、及びレーザアブレーションなどの方法を含む。代わりに、アノードがリチウムホイル、またはリチウムホイル及び基板を含むとき、これらはアノードを形成するために当該分野で既知のように積層工程によって一緒に積層される。
【００９２】
１つの実施形態において、アノード活性層の電気活性リチウム含有材料は、５０重量％より多いリチウムを含む。別の実施形態において、アノード活性層の電気活性リチウム含有材料は、７５重量％より多いリチウムを含む。さらなる別の実施形態において、アノード活性層の電気活性リチウム含有材料は、９０重量％より多いリチウムを含む。アノードでの使用に適切な追加の材料及び配置は、例えば「電気化学セルの力の適用」と名付けられた２００９年８月４日に出願されたＳｃｏｒｄｉｌｉｓ−Ｋｅｌｌｅｙらの米国特許公開公報第２０１０／００３５１２８号に記載され、全ての目的においてその全てを本明細書に援用する。
【００９３】
本明細書に記載される電気化学セルのカソードは、様々なカソード活物質を含む。本明細書に用いられるように、用語「カソード活物質」は、カソードと関連する任意の電気化学的活性種を指す。本発明の電気化学セルのカソードのカソード活物質として使用するのに適切な電気活性材料は、これに限定されるものではないが、１またはそれ以上の金属酸化物、１またはそれ以上の挿入材料、電気活性遷移金属カルコゲナイド、電気活性導電性ポリマ、硫黄、炭素及び／またはそれらの組み合わせを含む。
【００９４】
いくつかの実施形態において、カソード活物質は、１またはそれ以上の金属酸化物を含む。いくつかの実施形態において、挿入カソード（例えばリチウム挿入カソード）が用いられる。電気活性材料（例えばアルカリ金属イオン）のイオンを挿入する適切な材料の非限定の例は、金属酸化物、硫化チタン、硫化鉄を含む。いくつかの実施形態において、カソードは、リチウム遷移金属酸化物またはリチウム遷移金属リン酸塩を含む挿入カソードである。追加の例は、ＬｉｘＣｏＯ２（例えばＬｉ１．１ＣｏＯ２）、ＬｉｘＮｉＯ２、ＬｉｘＭｎＯ２、ＬｉｘＭｎ２Ｏ４（例えばＬｉ１．０５Ｍｎ２Ｏ４）、ＬｉｘＣｏＰＯ４、ＬｉｘＭｎＰＯ４、ＬｉＣｏｘＮｉ（１−ｘ）Ｏ２、及びＬｉＣｏｘＮｉｙＭｎ（１−ｘ−ｙ）Ｏ２（例えばＬｉＮｉ１／３Ｍｎ１／３Ｃｏ１／３Ｏ２、ＬｉＮｉ３／５Ｍｎ１／５Ｃｏ１／５Ｏ２、ＬｉＮｉ４／５Ｍｎ１／１０Ｃｏ１／１０Ｏ２、ＬｉＮｉ１／２Ｍｎ３／１０Ｃｏ１／５Ｏ２）を含む。ｘは、０以上２以下である。ｘは、通常電気化学セルが完全に放電されたとき１以上２以下であり、電気化学セルが完全に充電されたとき１未満である。いくつかの実施形態において、完全に充電された電気化学セルは、１以上１．０５以下、１以上１．１以下、または１以上１．２以下であるｘの値を有する。さらなる例は、ＬｉｘＮｉＰＯ４、ここで（０＜ｘ≦１）、ＬｉＭｎｘＮｉｙＯ４、ここで（ｘ＋ｙ＝２）（例えばＬｉＭｎ１．５Ｎｉ０．５Ｏ４）、ＬｉＮｉｘＣｏｙＡｌｚＯ２、ここで（ｘ＋ｙ＋ｚ＝１）、ＬｉＦｅＰＯ４、及びその組み合わせを含む。いくつかの実施形態において、カソード内の電気活性材料は、ある実施形態において、ホウ酸塩及び／またはケイ酸塩で置換できる、リチウム遷移金属リン酸塩（例えばＬｉＦｅＰＯ４）を含む。
【００９５】
上記のように、いくつかの実施形態において、カソード活物質は、１またはそれ以上のカルコゲナイドを含む。本明細書で用いられるように、用語「カルコゲナイド」は、酸素、硫黄及びセレンの元素の１またはそれ以上を含む化合物に関係する。適切な遷移金属カルコゲナイドの例は、これに限定されるものではないが、Ｍｎ、Ｖ、Ｃｒ、Ｔｉ、Ｆｅ、Ｃｏ、Ｎｉ、Ｃｕ、Ｙ、Ｚｒ、Ｎｂ、Ｍｏ、Ｒｕ、Ｒｈ、Ｐｄ、Ａｇ、Ｈｆ、Ｔａ、Ｗ、Ｒｅ、Ｏｓ、及びＩｒからなる群から選択された遷移金属の電気活性酸化物、硫化物及びセレン化物を含む。１つの実施形態において、遷移金属カルコゲナイドは、ニッケル、マンガン、コバルト及びバナジウムの電気活性酸化物及び鉄の電気活性硫化物からなる群から選択される。１つの実施形態において、カソードは、次の材料、二酸化マンガン、ヨウ素、クロム酸銀、酸化銀及び五酸化バナジウム、酸化銅、オキシリン酸銅、硫化鉛、硫化銅、硫化鉄、ビスマス酸鉛、三酸化ビスマス、二酸化コバルト、塩化銅、二酸化マンガン、及び炭素の１またはそれ以上を含む。別の実施形態において、カソード活性層は、電気活性導電性ポリマを含む。適切な電気活性導電性ポリマの例は、これに限定されるものではないが、ポリピロール、ポリアニリン、ポリフェニレン、ポリチオフェン、及びポリアセチレンからなる群から選択された電気活性及び電気的導電性ポリマを含む。導電性ポリマの例は、ポリピロール、ポリアニリン、及びポリアセチレンを含む。
【００９６】
いくつかの実施形態において、本明細書に記載される電気化学セルのカソード活物質として使用するための電気活性材料は、電気活性硫黄含有材料を含む。「電気活性硫黄含有材料」は、本明細書に用いられるように、任意の形態の元素硫黄を含む、カソード活物質に関連し、電気化学活性は、硫黄原子または部分の酸化または還元を含む。本発明の実施に有用な電気活性硫黄含有材料の性質は、当該分野で知られているように幅広く変わる。例えば、１つの実施形態において、電気活性硫黄含有材料は、元素硫黄を含む。別の実施形態において、電気活性硫黄含有材料は、元素硫黄と硫黄含有ポリマの混合物を含む。それゆえ、適切な電気活性硫黄含有材料は、これに限定されるものではないが、元素硫黄とポリマであるまたはポリマでない、硫黄原子と炭素原子を含む有機材料を含む。適切な有機材料は、さらにヘテロ原子、導電性ポリマセグメント、合成物及び導電性ポリマを含むそれらを含む。
【００９７】
いくつかの実施形態において、カソード活性層の電気活性硫黄含有材料は、５０重量％より多い硫黄を含む。別の実施形態において、カソード活性層の電気活性硫黄含有材料は、７５重量％より多い硫黄を含む。さらなる別の実施形態において、カソード活性層の電気活性硫黄含有材料は、９０重量％より多い硫黄を含む。
【００９８】
本発明のカソード活性層は、（例えば、溶媒の適切な量がカソード活性層から取り除かれた後及び／または層が適切に硬化された後測定される）約２０から１００重量％の電気活性カソード材料を含む。１つの実施形態において、カソード活性層の電気活性硫黄含有材料の量は、カソード活性層の５−３０重量％の範囲である。別の実施形態において、カソード活性層の電気活性硫黄含有材料の量は、カソード活性層の２０重量％から９０重量％の範囲である。
【００９９】
カソードで使用するのに適切なさらなる材料及びカソードを作る適切な方法は、例えば、「新規な複合カソード、新規な複合カソードを備える電気化学セル及びその製造プロセス」と名付けられ、１９９７年５月２１日に出願された米国特許第５，９１９，５８７号及び「電気化学セルの力の適用」と名付けられ、２００９年８月４日に出願されたＳｃｏｒｄｉｌｉｓ−Ｋｅｌｌｅｙらの米国特許公開公報第２０１０／００３５１２８号に記載され、全ての目的のためにその全てを本明細書に援用する。
【０１００】
様々な電解質が本明細書に記載される電気化学セルに関連して用いられる。いくつかの実施形態において、電解質は、多孔質セパレータが組み込まれるまたは組み込まれない非固体電解質を含む。本明細書に用いられるように、用語「非固体」は、静せん断応力に耐えることができない材料を指すために用いられ、せん断応力が加えられたとき、非固体は、継続的及び永続的なゆがみを経験する。非固体の例は、例えば液体、変形可能なゲルなどを含む。
【０１０１】
本明細書に記載される電気化学セルで用いられる電解質は、イオンを貯蔵及び輸送する媒体として機能し、固体電解質及びゲル電解質の特別な場合において、これらの材料は、さらにアノードとカソードの間のセパレータとして機能する。イオンを貯蔵及び輸送できる任意の液体、固体、またはゲル材料は、材料がアノードとカソードの間のイオン（例えばリチウムイオンなど）の輸送を促進する限り、用いられる。電解質に使用するための例示的な材料は、例えば「電気化学セルの力の適用」と名付けられ、２００９年８月４日に出願されたＳｃｏｒｄｉｌｉｓ−Ｋｅｌｌｅｙらの米国特許公開公報第２０１０／００３５１２８号に記載され、全ての目的のためにその全てを本明細書に援用する。
【０１０２】
「多重化充電放電バッテリ管理システム」と名付けられ、２０１８年７月３１日に出願された米国特許仮出願第６２／７１２，７６１号は、全ての目的のためのその全てを本明細書に援用する。
【０１０３】
次の文献は、全ての目的のためにその全てを本明細書に援用する：「電気化学セルのためのリチウムアノード」と名付けられ、２００１年５月２３日に出願された米国特許第７，２４７，４０８号、「リチウムポリマバッテリのための適切なアノード」と名付けられ、１９９６年３月１９日に出願された米国特許第５，６４８，１８７号、「リチウムポリマバッテリのため安定化されたアノード」と名付けられ、１９９７年７月７日に出願された米国特許第５，９６１，６７２号、「新規な複合カソード、新規な複合カソードを備える電気化学セル、及びその製造プロセス」と名付けられ、１９９７年５月２１日に出願された米国特許第５，９１９，５８７号、「再充電可能なリチウム／水、リチウム／空気バッテリ」と名付けられ、米国特許公開公報第２００７−０２２１２６５号として公開された２００６年４月６日に出願された米国特許出願第１１／４００，７８１号、「リチウムバッテリの膨張抑制」と名付けられ、国際公開第ＷＯ／２００９０１７７２６号として公開された２００８年７月２９日に出願された国際特許出願第ＰＣＴ／ＵＳ２００８／００９１５８号、「電解質の分離」と名付けられ、米国特許公開公報第２０１０−０１２９６９９号として公開された、２００９年５月２６日に出願された米国特許出願第１２／３１２，７６４号、「バッテリ電極のための入門書」と名付けられ、国際公開第第ＷＯ／２００９０５４９８７号として公開された２００８年１０月２３日に出願された国際特許出願第ＰＣＴ／ＵＳ２００８／０１２０４２号、「エネルギ貯蔵装置のための保護回路」と名付けられ、米国特許公開公報第２００９−０２００９８６号として公開された２００８年２月８日に出願された米国特許出願第１２／０６９，３３５号、「再充電可能なリチウムバッテリを含む、水性及び非水性の電気化学セルの両方の電極保護」と名付けられ、米国特許公開公報第２００７−０２２４５０２号で公開された２００６年４月６日に出願された米国特許出願第１１／４００，０２５号、「リチウム合金／硫黄バッテリ」と名付けられ、米国特許公開第２００８／０３１８１２８号として公開された２００７年６月２２日に出願された米国特許出願第１１／８２１，５７６号、「リチウム硫黄再充電可能バッテリ燃料ゲージシステム及び方法」と名付けられ、米国特許公開公報第２００６−０２３８２０３号として公開された２００５年４月２０日に出願された米国特許出願第１１／１１１，２６２号、「ポリマ化可能なモノマ及びポリマ化可能でないキャリアの溶媒／塩混合物／溶液の共フラッシュ蒸発」と名付けられ、米国特許公開公報第２００８−０１８７６６３号として公開された２００７年３月２３日に出願された米国特許出願第１１／７２８，１９７号、「リチウムバッテリのための電解質添加物及び関連する方法」と名付けられ、国際公開第ＷＯ／２００９０４２０７１号として公開された２００８年９月１９日に出願された国際特許出願第ＰＣＴ／ＵＳ２００８／０１０８９４号、「多孔質電極及び関連する方法」と名付けられ、国際公開第ＷＯ／２００９／０８９０１８号として公開された２００９年１月８日に出願された国際特許出願第ＰＣＴ／ＵＳ２００９／００００９０号、「電気化学セルの力の適用」と名付けられ、米国特許公開公報第２０１０／００３５１２８号として公開された２００９年８月４日に出願された米国特許出願第１２／５３５，３２８号、「リチウムバッテリのためのカソード」と名付けられ、２０１０年３月１９日に出願された米国特許出願第１２／７２７，８６２号、「制御大気環境下の微量分析を実行するための気密サンプルホルダ及び方法」と名付けられ、２００９年５月２２日に出願された米国特許出願第１２／４７１，０９５号、（「電気化学セルのための解放システム」と名付けられた２００９年８月２４日に出願された仮特許出願第６１／２３６，３２２号の優先権を主張する）「電気化学セルのための解放システム」と名付けられ、２０１０年８月２４日に出願された米国特許出願第１２／８６２，５１３号、「電気化学セルのための電気的に非導電性材料」と名付けられ、２０１０年８月２４日に出願された米国仮特許出願第６１／３７６，５５４号、「電気化学セル」と名付けられ、２０１０年８月２４日に出願された米国仮特許出願第１２／８６２，５２８号、「硫黄を含む多孔質構造を備える電気化学セル」［Ｓ１５８３．７００２９ＵＳ００］と名付けられ、米国特許公開公報第２０１１／００７０４９４号として公開された２０１０年８月２４日に出願された米国特許出願第１２／８６２，５６３号、「硫黄を含む多孔質構造を備える電気化学セル」［Ｓ１５８３．７００３０ＵＳ００］と名付けられ、米国特許公開公報第２０１１／００７０４９１号として公開された２０１０年８月２４日に出願された米国特許出願第１２／８６２，５５１号、「硫黄を含む多孔質構造を備える電気化学セル」［Ｓ１５８３．７００３１ＵＳ００］と名付けられ、米国特許公開公報第２０１１／００５９３６１号として公開された２０１０年８月２４日に出願された米国特許出願第１２／８６２，５７６号、「硫黄を含む多孔質構造を備える電気化学セル」［Ｓ１５８３．７００２４ＵＳ０１］と名付けられ、米国特許公開公報第２０１１／００７６５６０号として公開された２０１０年８月２４日に出願された米国特許出願第１２／８６２，５８１号、「低電解質電気化学セル」［Ｓ１５８３．７００３３ＵＳ００］と名付けられ、２０１０年９月２２日に出願された米国特許出願第６１／３８５，３４３号及び「エネルギ貯蔵装置のための多孔質構造」［Ｓ１５８３．７００３４ＵＳ００］と名付けられ、２０１１年２月２３日に出願された米国特許出願第１３／０３３，４１９号。本明細書に開示される全ての他の特許及び特許出願は、また全ての目的のためにその全てを援用する。
【０１０４】
図４Ａは、バッテリのセルのセットを放電するための代表的な高レベルプロセス４００Ａを示す。代表的なプロセス４００Ａを備える行為は、続く段落に詳細に記載される。
【０１０５】
いくつかの実施形態において、代表的なプロセス４００Ａは、行為４３０を含み、バッテリのセルのセットは、多重化スイッチ装置（例えば上記された多重化スイッチ装置１１２など）を用いて少なくとも１つの基準に基づいて選択的に放電される。さらに、多重化スイッチ装置は、少なくとも１つのバッテリ（例えば１２０−１５０）のセル（例えば１２１Ａ−Ｃ）の２またはそれ以上のセット（例えば１２１、１２２、１２３及び／または１２４）と接続される。それぞれのセルのセットは、１またはそれ以上のセルを備える。
【０１０６】
いくつかの実施形態において、プロセス４００Ａは、その後終わるまたは必要に応じて繰り返す。
【０１０７】
図４Ｂは、バッテリのセルのセットを放電する代表的な高レベルプロセス４００Ｂを示す。代表的なプロセス４００Ｂを備える行為は、続く段落に詳細に記載される。
【０１０８】
いくつかの実施形態において、代表的なプロセス４００Ｂは、任意に行為４１０において始まり、多重化スイッチ装置は、負荷によって用いられるトポロジで、セルのセットを負荷に接続するために用いられる。バッテリ（例えば１２０−１５０）は、セル（例えば１２１Ａ−Ｃ）のセット（例えば１２１、１２２、１２３、及び／または１２４）を含み、それぞれのセルのセットは、１またはそれ以上のセルを備える。例えば、多重化スイッチ装置は、直列接続で、並列接続で、直列／並列接続で、または負荷の電圧及び電流要求または所定の利用物もしくは使用者の要望に合うために必要とされるその他の適切なトポロジで負荷とセルを接続する。
【０１０９】
いくつかの実施形態において、代表的なプロセス４００Ｂは、その後任意に行為４２０に進み、少なくとも１つの基準及び／または基準のいくつかのパラメータは、基準が合うかどうか決定するために少なくとも１つのセルまたはセルのセットを既に放電しているまたは放電した、バッテリまたは複数のバッテリのセルに関して測定されるまたはさもなければ監視される。
【０１１０】
例えば、センサ（例えば図１の１１６など）は、負荷と負荷に流れるように接続されたセルのセットの間の接続において供給された放電容量を測定する、またはセルのセットの電流を測定する。代わりにまたはさらに、センサは、次の：接続期間（いくつかの実施形態において、少なくとも０．０１秒である）、負荷とセルのセットの間の複数の接続にわたって蓄積された容量、セルのセット及び／または少なくとも１つの他のセルのセットの電圧、セルのセットのカットオフ放電電圧、セルのセットの電力と、セルのセットのエネルギ、セルのセットの充電または放電サイクルの数、セルのセットのインピーダンス、接続の間のセルのセットの電圧フェージングの速度、セルのセットの温度、セルのセットの圧力とのいずれかを測定する。
【０１１１】
いくつかの実施形態において、基準は、セルまたはセルのセットを放電する順序を含む。代わりにまたはさらに基準は、パラメータとして上記のいずれかを有する関数の値である。いくつかの実施形態よると、基準は、セルのセットの前の放電サイクルの数を含まない。
【０１１２】
いくつかの実施形態において、基準が合ったならば、代表的なプロセス４００Ｂは、その後行為４３０に進み、バッテリの次のセルのセットは、多重化スイッチ装置（例えば上記多重化スイッチ装置１１２など）を用いて基準に基づいて選択的に放電される。例えば、電流放電するセルのセットが基準または複数の基準が要求に合ったならば、そのセルのセットは切断され、次のセルのセットが、本明細書に記載されるように接続される（次のセットは、上で議論された基準と同じまたは異なる基準または複数の基準によって決定されてもよい）。代わりに、基準が合わなければ、監視され続ける。いくつかの実施形態よると、単一のセルと負荷の間の接続は、少なくとも０．０１秒の期間である。発明者は、０．０１秒より短い期間の接続は、０．０１秒におけるより驚くほど多くのノイズを作り出し、セルの電気化学は、無視できないことを達成することができないことを認識し、理解した。
【０１１３】
いくつかの実施形態において、代表的なプロセス４００Ｂは、その後任意に行為４３１に進み、多重化スイッチ装置は、他のセルのセットが放電していない間放電するための単一のセルのセットを分離するために用いられる。例えば、コントローラ（例えば図１の１１４）は、セル１２１Ｂが放電されることを決定したとき、多重化スイッチ装置にセル１２１Ａ及び１２１Ｃが放電していない間、放電するためのセル１２１Ｂを分離させる。
【０１１４】
いくつかの実施形態において、代表的なプロセス４００Ｂは、その後任意に行為４３２、４３４、４３６及び／または４３８のいずれかに進む。例えば、プロセス４００Ｂが行為４３１から行為４３２に進むならば、多重化スイッチ装置は、セルのセットを充電する第２の速度より少なくとも２倍速い第１の速度でセルのセットを選択的に放電するために用いられる。
【０１１５】
代わりにまたはさらに、プロセス４００Ｂは、行為４３１から行為４３４に進み、多重化スイッチ装置は、セルのセットを充電する第２の速度より少なくとも４倍速い第１の速度でセルのセット選択的に放電するために用いられる。
【０１１６】
代わりにまたはさらに、プロセス４００Ｂは、行為４３１から行為４３６に進み、セルのセットの放電は、例えば上記議論のように多重化スイッチ装置を用いることによって、一時的に重なっている。
【０１１７】
代わりにまたはさらに、プロセス４００Ｂは、行為４３１から行為４３８に進み、電力は、異なるセットの間を切り替える間、セルのセットから供給され続ける。
【０１１８】
行為４３１、４３２、４３４、４３６及び／または４３８のいずれかは、それらが図４Ｂに分離した行為として表されるが、実際に行為４３０に不可欠である。
【０１１９】
いくつかの実施形態において、代表的なプロセス４００Ｂは、その後任意に行為４４０に進み、多重化スイッチ装置は、例えば上記されるように、並列接続でセルのセットを充電するために用いられる。
【０１２０】
いくつかの実施形態よると、バッテリ、バッテリパックまたはシステムの全てのセルのセットを含む任意の数のセルのセットは、同時に放電される。例えば、４つのセルを有するバッテリで、４つ全てのセル（または２または３のみ）は、同時に放電されることができ、負荷または利用物において望まれる及びセルにおいて可能な放電電流が作り出される。さらにいくつかの実施形態において、放電または充電されるセルまたはセットの数は、例えば放電する放電電流など、少なくとも１つの基準に基づいて選択される。ある実施形態において、セルまたはセルのセットの数が放電または充電される順序は、例えば放電するための放電電流など、少なくとも１つの基準に基づいて選択される。いくつかの実施形態において、放電または充電されるセルまたはセットの数及びそれを行う順序は、例えば放電するための放電電流など、少なくとも１つの基準に基づいて選択される。
【０１２１】
いくつかの実施形態において、プロセス４００Ｂは、その後終わるまたは必要に応じて繰り返す。例えば、プロセス４００Ｂは、任意の適切な数のサイクルによって繰り返す。いくつかの実施形態よると、それぞれのサイクルまたはいくつかのサイクルにおいて、それぞれのセルは、全てのセルが２度放電される前に１度放電される。
【０１２２】
図５は、バッテリパックを制御する代表的な高レベルプロセス５００を示す。代表的なプロセス５００を備える行為は、続く段落に詳細に記載される。
【０１２３】
いくつかの実施形態において、代表的なプロセス５００は、行為５３０を含み、スイッチは、一体化されたスイッチ制御システムを順次的に用いて、バッテリパック（例えば２１０）のセル（例えば１２１Ａ−Ｃ）のセット（例えば１２１、１２２、１２３及び／または１２４）を放電するように制御される（例えば上記された１１４などのコントローラによって）。さらに、多重化スイッチ装置は、バッテリまたは複数のバッテリの２またはそれ以上のセルのセットと接続される。それぞれのセルのセットは、１またはそれ以上のセルを備える。
【０１２４】
いくつかの実施形態において、プロセス５００は、その後終わるまたは必要に応じて繰り返す。
【０１２５】
図６は、バッテリパックを制御する代表的な高レベルプロセス６００を示す。代表的なプロセス６００を備える行為は、続く段落に詳細に記載される。
【０１２６】
いくつかの実施形態において、代表的なプロセス６００は、行為６３０を含み、スイッチは、一体化されたスイッチ制御システムを用いて、基準に基づいてバッテリパック（例えば２１０）のセル（例えば１２１Ａ−Ｃ）のセット（例えば１２１、１２２、１２３及び／または１２４）を放電するように制御される（例えば上記された１１４などのコントローラによって）。さらに、多重化スイッチ装置は、バッテリまたは複数のバッテリの２またはそれ以上のセルのセットと接続される。それぞれのセルのセットは、１またはそれ以上のセルを備える。いくつかの実施形態において、基準は、次の：負荷及び負荷に流れるように接続されるセルのセットの間の接続期間、接続において供給された放電容量、及び１またはそれ以上のパラメータを有する関数の値のいずれかを含む。
【０１２７】
いくつかの実施形態において、プロセス６００は、その後終わるまたは必要に応じて繰り返す。
【０１２８】
発明者は、上記されるいくつかの実施形態は、実施されたとき従来技術を超えて様々な改善を示す結果を生み出すことを認識し、理解した。例えば、１つの実施において、セルは、活性電極領域が９９．４１ｃｍ２の５０μｍＬｉホイルと１重量％のＬｉＢＯＢを含むＦ９電解質（ＢＡＳＦ）で満たされた２５μｍＣｅｌｇａｒｄ２３２５セパレータを備えるＮＣＭＡ６２２カソード（ＢＡＳＦ）で作られた。セルは、それぞれ４つのセルを含む１３個のバッテリに組み立てられた。バッテリは、以下の表１及び表２にまとめられる条件でいくつかの実施形態を用いて実行された１３電気充電放電サイクル試験を受けた。バッテリのセルは、サイクル試験中１２ｋｇ／ｃｍ２の圧力で、１８℃の温度で保持された。
【０１２９】
2021533714.tif 000003
表１．均一な電流分配で同時に放電された４つのセルのバッテリ試験データ
【０１３０】
2021533714.tif 000004
表２．様々な放電パルス期間において順次的に放電された４つのセルのバッテリ試験データ
【０１３１】
表１（試験＃１−＃３）は、（従来技術によって実行されるように）比較例を表し、バッテリが並列接続されたセルで、４つのセルの間で均一に分配された充電及び放電電流で、一定電流で充電され放電されたときの試験結果をまとめる。充電カットオフ電圧は４．３５Ｖであり、放電カットオフ電圧は、３．２Ｖであった。充電−放電サイクルは、バッテリ容量が８００ｍＡｈに到達したとき止められた。
【０１３２】
表２（試験＃４−＃１３）は、バッテリが並列接続されたセルで、４つのセルの間で均一に分配された充電放電電流で、一定電流で４．３５Ｖに充電され放電されたときの試験結果をまとめる。これらのバッテリの放電は、全体としてバッテリが定常放電電流を経験する方法で実行された。しかしながら、個々のセルは、順次的に負荷に接続され、負荷から切断されて同時に４つのセルの１つにおいてのみ放電電流パルス供給した。このパルスの終わりにおいて、次のセルは、接続され前のセルは切断された。セルは、一定のパルス時間または放電電圧が３．２Ｖに到達するまで順番に（例えばセル＃１、２、３、４、１、２、３、４など）放電パルスを経験した。テスト＃４、＃８及び＃１２は、単一パルスでフルセル放電を提供した。他の試験は、０．１、１及び１０秒の期間で、単一パルスで部分的セル放電を提供した。充電−放電サイクルは、バッテリ容量が８００ｍＡｈに到達したとき停止した。
【０１３３】
試験＃１３に対応する図７Ａは、第１の２４０秒において１０秒のパルス放電の開始におけるバッテリ電圧プロファイルを示し、図７Ｂは、電圧３．２Ｖへのフル放電プロファイルを示す。図７Ａにおいて、繰り返される順序において１０秒３００ｍＡパルスによって影響されるセルの数は、第１の８０秒において示される。
【０１３４】
表１及び表２を戻って参照すると、発明者は、全バッテリ放電電流を順番にバッテリセルの一部に加えることは（表２）、従来技術でなされたように、全てのバッテリセルの間の均一な電流分配（表１）と比較して、驚くほど及び劇的にサイクル寿命の改善につながったことを認識し、理解した。このサイクル寿命の改善は、最大６倍になり、発明者は、放電パルス期間及び充電放電速度の関数であると認識した。２つの充電放電速度におけるパルス期間の関数としてバッテリサイクル寿命を描く（試験＃４−＃１１に対応する）図７Ｃは、サイクル寿命が特に０．１秒より長いパルス時間及び約１０秒のパルス期間で改善されることを示す。発明者は、本明細書に記載されるバッテリサイクル寿命への改善は、図７Ｃが示し、従来技術の経験に基づいて予期できなかったので、部分的な放電におけるいくつかの実施形態を用いてさえ利用可能であることを認識し、理解した。さらに、全てのセルの全容量は、均一から遠いときでさえ、いくつかの実施形態で利用される。
【０１３５】
いくつかの実施形態において、図４Ａ−６を参照して上記された本発明の方法は、多くの方法のいずれかで変わることが理解されるべきである。例えばいくつかの実施形態において、上記された本発明の方法のステップは、記載されたものと異なる順序で実行され、方法は、上記されてない追加のステップを含み、及び／または方法は、上記されたステップの全てを含まない。
【０１３６】
さらにいくつかの態様は、コンピュータ装置を用いて実行されることが前の記載から理解されるべきである。図８は、例えば上記されたコントローラのいずれかなど（例えば１１４）、ある態様を実施するために用いられる、コンピュータ８１０の形態でシステム８００の一般の目的のコンピュータ装置を示す。
【０１３７】
コンピュータ８１０において、構成要素は、これに限定されるものではないが、処理装置８２０、システムメモリ８３０、及びシステムメモリを含む様々なシステム構成要素を処理装置８２０と結合するシステムバス８２１を含む。システムバス８２１は、メモリバスまたはメモリコントローラ、周辺バス及び様々なバスアーキテクチャのいずれかを用いるローカルバスを含む複数のタイプのバス構造のいずれかである。例として、限定でなく、そのようなアーキテクチャは、Ｉｎｄｕｓｔｒｙ  Ｓｔａｎｄａｒｄ  Ａｒｃｈｉｔｅｃｔｕｒｅ（ＩＳＡ）バス、Ｍｉｃｒｏ  Ｃｈａｎｎｅｌ  Ａｒｃｈｉｔｅｃｔｕｒｅ（ＭＣＡ）バス、Ｅｎｈａｎｃｅｄ  ＩＳＡ（ＥＩＳＡ）バス、Ｖｉｄｅｏ  Ｅｌｅｃｔｒｏｎｉｃｓ  Ｓｔａｎｄａｒｄｓ  Ａｓｓｏｃｉａｔｉｏｎ（ＶＥＳＡ）ローカルバス、及びＭｅｚｚａｎｉｎｅバスとも呼ばれるＰｅｒｉｐｈｅｒａｌ  Ｃｏｍｐｏｎｅｎｔ  Ｉｎｔｅｒｃｏｎｎｅｃｔ（ＰＣＩ）バスを含む。
【０１３８】
コンピュータ８１０は、通常様々なコンピュータ可読媒体を含む。コンピュータ可読媒体は、コンピュータ８１０によってアクセス可能であり、揮発性及び不揮発性媒体、取り外し可能及び取り外し不可能媒体の両方を含む、任意の利用可能な媒体である。例として、限定でなく、コンピュータ可読媒体は、コンピュータストレージ媒体及び通信媒体を含む。コンピュータストレージ媒体は、例えばコンピュータ可読指示、データ構造、プログラムモジュールまたは他のデータなど情報を格納するための任意の方法または技術で実行される揮発性及び不揮発性、取り外し可能及び取り外し不可能媒体の両方を含む。コンピュータストレージ媒体は、これに限定されるものではないが、ＲＡＭ、ＲＯＭ、ＥＥＰＲＯＭ、フラッシュメモリ、または他のメモリ技術、ＣＤ−ＲＯＭ、デジタル多用途ディスク（ＤＶＤ）または他の光学ディスクストレージ、磁気カセット、磁気テープ、磁気ディスクストレージ、または他の磁気ディスクストレージ装置、または所望の情報を格納するために用いられ、コンピュータ８１０によってアクセスされるその他の１またはそれ以上の媒体を含む。通信媒体は、通常コンピュータ可読指示、データ構造、プログラムモジュールまたは例えば搬送波または他の輸送機構などの変調されたデータ信号の他のデータを具体化し、任意の情報配信媒体を含む。用語「変調されたデータ信号」は、その特性セットの１またはそれ以上を有し、信号の情報をエンコードするような方法で変換された信号を意味する。例として、限定でなく、連絡媒体は、有線ネットワークまたは直接有線接続などの有線媒体及び例えば、音響、ＲＦ、赤外線などの無線媒体及び他の無線媒体を含む。上記のいずれかの組み合わせは、またコンピュータ可読媒体の範囲に含まれる。
【０１３９】
システムメモリ８３０は、例えば読み取り専用メモリ（ＲＯＭ）８３１及びランダムアクセスメモリ（ＲＡＭ）８３２などの揮発性及び／または不揮発性メモリの形態でコンピュータストレージ媒体を含む。例えば起動中のコンピュータ８１０内の要素の間の情報を転送する手助けをする基本的なルーチンを含む基本入力／出力システム８３３（ＢＩＯＳ）は、通常ＲＯＭ８３１に格納される。ＲＡＭ８３２は、通常データ及び／または処理装置８２０に即座にアクセス可能である及び／または処理装置８２０によって現在動作中であるプログラムモジュールを含む。例として、限定でなく、図８は、オペレーティングシステム８３４、アプリケーションプログラム８３５、他のプログラムモジュール８３９及びプログラムデータ８３７を描く。
【０１４０】
コンピュータ８１０は、また他の取り外し可能／取り外し不可能、揮発性／不揮発性コンピュータストレージ媒体を含む。例としてのみ、図８は、取り外し不可能、不揮発性磁気媒体から読みまたは媒体に書き込むハードディスクドライブ８４１、取り外し可能、不揮発性磁気ディスク８５２から読みまたは磁気ディスク８５２に書き込む磁気ディスクドライブ８５１及び例えばＣＤＲＯＭまたは他の光学媒体などの取り外し可能、不揮発性光学ディスク８５９から読み、光学ディスク８５９に書き込む光学ディスクドライブ８５５を描く。例示的なコンピュータシステムに用いられる他の取り外し可能／取り外し不可能、揮発性／不揮発性コンピュータストレージ媒体は、これに限定されるものではないが、磁気テープカセット、フラッシュメモリカード、デジタル多用途ディスク、デジタルビデオテープ、ソリッドステートＲＡＭ、ソリッドステートＲＯＭなどを含む。ハードディスクドライブ８４１は、通常例えばインターフェース８４０などの取り外し不可能メモリインターフェースを通ってシステムバス８２１に接続され、磁気ディスクドライブ８５１及び光学ディスクドライブ８５５は、通常例えばインターフェース８５０など取り外し可能メモリインターフェースによってシステムバス８２１に接続される。
【０１４１】
上で議論され、図８に描かれたドライブ及びそれらの関連するコンピュータストレージ媒体は、コンピュータ可読指示、データ構造、プログラムモジュール及びコンピュータ８１０のための他のデータの格納を提供する。図８において、例えば、ハードディスクドライブ８４１は、オペレーティングシステム８４４、アプリケーションプログラム８４５、他のプログラムモジュール８４９、及びプログラムデータ８４７を格納するように描かれる。これらの構成要素は、オペレーティングシステム８３４、アプリケーションプログラム８３５、他のプログラムモジュール５３９、及びプログラムデータ８３７と同じまたは異なることができることに留意する。オペレーティングシステム８４４、アプリケーションプログラム８４５、他のプログラムモジュール８４９、及びプログラムデータ８４７は、少なくともそれらが異なる複製であることを描くために本明細書で異なる符号を与えられる。使用者は、例えばキーボード８９２及び共通にマウス、トラックボールまたはタッチパッドと呼ばれるポインティングデバイス８９１などの入力装置を通してコンピュータ８１０にコマンド及び情報を入力する。他の入力装置（図示せず）は、マイクロフォン、ジョイスティック、ゲームパッド、衛星放送受信アンテナ、スキャナなどを含む。これらの及び他の入力装置は、しばしばシステムバスと結合される使用者入力インターフェース５９０を通って処理装置８２０に接続されるが、他のインターフェース及び例えばパラレルポート、ゲームポートまたはユニバーサルシリアルバス（ＵＳＢ）などのバス構造によって接続されてもよい。モニタ８９１または他のタイプのディスプレイ装置は、また例えばビデオインターフェース８９０などインターフェースによってシステムバス８２１に接続されてもよい。モニタに加えて、コンピュータは、また例えば出力周辺インターフェース８９５によって接続された、スピーカ８９７及びプリンタ８９９などの他の周辺出力装置を含む。
【０１４２】
コンピュータ８１０は、例えばリモートコンピュータ８８０などの１またはそれ以上のリモートコンピュータと論理接続を用いるネットワーク環境で動作する。リモートコンピュータ８８０は、パーソナルコンピュータ、サーバ、ルータ、ネットワークＰＣ、ピアデバイスまたは他の共通のネットワークノードであり、典型的にメモリストレージ装置８８１のみが図８に描かれるが、コンピュータ８１０に関連して上記された要素の多くまたは全てを含む。図８に示される論理接続は、ローカルエリアネットワーク（ＬＡＮ）８７１及びワイドエリアネットワーク（ＷＡＮ）８７３を含むが、他のネットワークも含む。そのようなネットワーク環境は、オフィス、企業全体のコンピュータネットワーク、イントラネット及びインターネットではありふれている。
【０１４３】
ＬＡＮネットワーク環境で用いられるとき、コンピュータ８１０は、ネットワークインターフェースまたはアダプタ８７０を通ってＬＡＮ８７１に接続される。ＷＡＮネットワーク環境で用いられるとき、コンピュータ８１０は、通常例えばインターネットなどモデム８７２またはＷＡＮ８７３経由で通信を確立する他の手段を含む。内部または外部であるモデム８７２は、使用者入力インターフェース８９０または他の適切な機構によってシステムバス８２１と接続される。ネットワーク環境において、コンピュータ８１０またはその一部に関連して示されるプログラムモジュールは、リモートメモリストレージ装置に格納される。例として、限定でなく、図８は、メモリ装置８８１にあるようにリモートアプリケーションプログラム８８５を描く。示されるネットワーク接続は、例示的であり、コンピュータの間の通信リンクを確立する他の手段が用いられてもよいことが理解されるべきである。
【０１４４】
実施形態は、１またはそれ以上のコンピュータまたは他のプロセッサで実行されるとき、上で議論された様々な実施形態を実施する方法を実行する１またはそれ以上のプログラムでエンコードされるコンピュータ可読ストレージ媒体（または複数のコンピュータ可読媒体）（例えばコンピュータメモリ、１またはそれ以上のフロッピディスク、コンパクトディスク（ＣＤ）、光学ディスク、デジタルビデオディスク（ＤＶＤ）、磁気テープ、フラッシュメモリ、フィールドプログラマブルゲートアレイの回路構成または他の半導体装置、または他の有形のコンピュータストレージ媒体）として具体化される。前の例から明白であるように、コンピュータ可読ストレージ媒体は、十分な時間において情報を保持して、非一時的な形式でコンピュータ実行可能指示を提供する。そのようなコンピュータ可読ストレージ媒体または複数の媒体は、そこに格納されるプログラムまたは複数のプログラムが１またはそれ以上の異なるコンピュータまたは他のプロセッサに積み込まれ、上で議論されたように本発明の様々な態様を実施するように、輸送可能である。本明細書で用いられるように、用語「コンピュータ可読ストレージ媒体」は、コンピュータが情報を読む有形のマシン、機構または装置のみ含む。代わりにまたはさらに、いくつかの実施形態は、コンピュータ可読ストレージ媒体以外のコンピュータ可読媒体として具体化される。コンピュータ可読ストレージ媒体でないコンピュータ可読媒体の例は、伝播信号など一時的な媒体を含む。
【０１４５】
本発明の複数の実施形態が本明細書に記載され描かれたが、当業者は、容易に本明細書に記載された機能を実行するために及び／または結果及び／または利点の１またはそれ以上を得るために様々な他の手段及び／または構造を想像し、そのようなバリエーション及び／また変更のそれぞれは、本発明の範囲内であると見なされる。さらに一般的に、当業者は、容易に本明細書に記載される全てのパラメーラ、寸法、材料及び構成が、例示的であることを意味し、実際のパラメータ、寸法、材料及び／または構成が本発明の教示が用いられる特定の利用物または複数の利用物に依存することを理解される。当業者は、本明細書に記載される本発明の特定の実施形態に対して、日常的な実験を使用して多くの等価物を認識し、解明できるであろう。したがって、前の実施形態は、例としてのみ表され、添付された特許請求の範囲及びその等価物の範囲内で、本発明は、特に記載され及び請求された以外で実行される。本発明は、本明細書に記載されたそれぞれ個々の特徴、システム、品物、材料及び／または方法を含む。さらに、２またはそれ以上のそのような特徴、システム、品物、材料及び／または方法の任意の組み合わせが、そのような特徴、システム、品物、材料及び／または方法が相互に矛盾しないならば、本発明の範囲内に含まれる。
【０１４６】
明細書及び特許請求の範囲で本明細書に用いられるように、不定冠詞「１つの」（ａ）及び「１つの」（ａｎ）は、明確に反対を示されなければ、「少なくとも１つの」を意味すると理解すべきである。
【０１４７】
明細書及び特許請求の範囲で本明細書に用いられるように、語句「及び／または」は、そのように結合された要素、いくつかの場合において結合的に存在し、他の場合において断続的に存在する要素の「いずれかまたは両方」を意味すると理解すべきである。他の要素は、明確に反対を示さなければ、特に識別されたそれらの要素に関連するかどうかに関わらず、「及び／または」句によって特に識別される要素以外に任意に存在する。
そのため、非限定の例として、「Ａ及び／またはＢ」への参照は、例えば「備える」などのオープンエンドの用語と関連して用いられるとき、１つの実施形態において、ＢのないＡを指し（任意にＢ以外の要素を含む）、別の実施形態において、ＡのないＢを指し（任意にＡ以外の要素を含む）、またさらに別の実施形態において、「Ａ及びＢ」の両方をさす（任意に他の要素を含む）。
【０１４８】
明細書及び特許請求の範囲で本明細書に用いられるように、「または」は、上で定義されたように「及び／または」と同じ意味を有することを理解すべきである。例えば、リストの品物を分離するとき、「または」または「及び／または」は、包括的である、すなわち少なくとも１つの含有であるが、また複数の要素または要素のリストの２以上及び任意に追加のリストに載っていない品物を含むとして解釈される。「の１つのみ」または「のまさに１つ」または特許請求の範囲で用いられるとき、「からなる」など明確に反対を示す用語のみが複数の要素のまたは要素のリストのまさに１つの要素の包含を指す。一般に本明細書に用いられるように用語「または」は、例えば「どちらか一方」、「の１つ」、「の１つのみ」、または「のまさに１つ」などの排他性の用語によって先行されるとき、排他的な代替（すなわち「１つまたは他であるが両方でない）を示すとして解釈されるのみである。「から本質的になる」は、特許請求の範囲で用いられるとき、特許法の分野で用いられるようにその通常の意味を有する。
【０１４９】
明細書及び特許請求の範囲で本明細書に用いられるように、語句「少なくとも１つ」は、１またはそれ以上の要素のリストを参照して、要素のリストの要素のいずれか１またはそれ以上から選択された少なくとも１つの要素を意味するが、要素のリスト内の具体的に記載されたそれぞれの及びすべての要素の少なくとも１つを含む必要はなく、要素のリストの要素の任意の組み合わせを排除しない。この定義はまた、「少なくとも１つ」という句が参照する要素のリスト内で具体的に識別される要素以外の要素が、具体的に識別される要素にそれらの関連するかどうかにかかわらず、任意に存在できることを可能にする。そのため、非限定の例として、「Ａ及びＢの少なくとも１つ」（または等価に「ＡまたはＢの少なくとも１つ」、または等価に「Ａ及び／またはＢの少なくとも１つ」）は、１つの実施形態においてＢが存在しない２以上のＡを任意に含む（及び任意にＢ以外の要素を含む）少なくとも１つを指し、別の実施形態において、Ａが存在しない２以上のＢを任意に含む（及びＡ以外の要素を任意に含む）少なくとも１つを指し、さらに別の実施形態において、２以上のＡを任意に含み、２以上のＢを任意に含む（及び任意に他の要素を含む）少なくとも１つを指す。
【０１５０】
いくつかの実施形態は、様々な例が記載された方法として具体化される。方法の一部として実行される行為は、任意の適切な方法で順番を付けられる。したがって、実施形態は、行為が描かれたのと異なる順番で実行され、記載されたものと異なる（より多くまたは少なく）行為を含んで構成される及び／または行為が具体的に上記された実施形態で順番通りに実行されるように示されているが、いくつかの行為を同時に実行することを含む。
【０１５１】
請求項の要素を修飾するための特許請求の範囲の例えば「第１」、「第２」、「第３」などの序数の用語の使用は、それ自身によって優先（ｐｒｉｏｒｉｔｙ）、優先（ｐｒｅｃｅｄｅｎｃｅ）、または方法の行為が実行される別のまたは一時的な順番を超えて１つの請求項の要素の順番を含意しないが、請求項の要素を区別するためにある名前を有する１つの請求項の要素を同じ名前を有する別の要素と区別するために（しかし序数の用語の使用のために）、標識として単に使用される。
【０１５２】
特許請求の範囲において、上記明細書と同様に、例えば「含む」（ｃｏｍｐｒｉｓｉｎｇ）、「含む」（ｉｎｃｌｕｄｉｎｇ）、「持っている」（ｃａｒｒｙｉｎｇ）、「有する」（ｈａｖｉｎｇ）、「含む」（ｃｏｎｔａｉｎｉｎｇ）、「含む」（ｉｎｖｏｌｖｉｎｇ）、「保持する」（ｈｏｌｄｉｎｇ）などの全ての過渡的な語句は、オープンエンドである、すなわちこれに限定されないことを含むことを意味すると理解されるべきである。「からなる」及び「から本質的になる」の過渡的な語句のみが、米国特許庁特許審査手続マニュアル、セクション２１１１．０３に記載されているように、それぞれクローズまたは準クローズ過渡的語句である。
【図１】
2021533714.tif 000005
【図２】
2021533714.tif 000006
【図３Ａ】
2021533714.tif 000007
【図３Ｂ】
2021533714.tif 000008
【図３Ｃ】
2021533714.tif 000009
【図３Ｄ】
2021533714.tif 000010
【図４Ａ】
2021533714.tif 000011
【図４Ｂ】
2021533714.tif 000012
【図５】
2021533714.tif 000013
【図６】
2021533714.tif 000014
【図７Ａ】
2021533714.tif 000015
【図７Ｂ】
2021533714.tif 000016
【図７Ｃ】
2021533714.tif 000017
【図８】
2021533714.tif 000018
【国際調査報告】
2021533714.tif 000019
2021533714.tif 000020
2021533714.tif 000021